(57)【要約】      （修正有）【課題】  複数の設備機器が集中管理機器に接続されている空調システムにおいて、簡便に、集中管理機器に設備機器のアドレスと設置場所とを対応づけて保存する設備機器対応付け支援システムを提供する。【解決手段】  設備機器対応付け支援システムは、無線情報保持体および無線情報端末７を備える。第１記憶部には、自己識別情報が記憶される。無線情報保持体は、第２記憶部および無線情報発信部を有する。第２記憶部には、自己識別情報が記憶される。無線情報発信部は、第２記憶部に記憶される自己識別情報を無線発信する。無線情報端末は、無線情報発信部から無線発信される自己識別情報を受信する。情報表示部は、設置位置情報を表示する。情報対応付け保存部は、情報受信部において受信された自己識別情報を、情報表示部に表示される設置位置情報と対応付けして第３記憶部に保存する。【選択図】      図６
2007003126.tif 000002
【特許請求の範囲】
【請求項１】
自己識別情報を記憶する第１記憶部（２５）を有する複数の設備機器（２０ａ，２０ｂ，２０ｃ，２０ｄ，・・・）と通信接続される集中管理機器（３）において、前記設備機器の設置位置に関する情報である設置位置情報と前記自己識別情報との対応付けの確立を支援するための設備機器対応付け支援システムであって、
前記自己識別情報を記憶する第２記憶部（６３）と、前記第２記憶部に記憶される前記自己識別情報を無線発信する無線情報発信部（６２）とを有し、前記設備機器に付される無線情報保持体（６ａ，６ｂ，６ｃ，６ｄ，・・・）と、
前記無線情報発信部から無線発信される前記自己識別情報を受信する無線情報受信部（８３ａ）と、前記設置位置情報を表示する情報表示部（８２）と、前記無線情報受信部において受信された前記自己識別情報を、前記情報表示部に表示される特定の前記設置位置情報と対応付けして第３記憶部（７５）に保存する情報対応付け保存部（７１Ｂ）とを有する無線情報端末（７）と、
を備える、設備機器対応付け支援システム。
【請求項２】
前記無線情報端末は、前記情報表示部に表示される前記設置位置情報のうち特定の前記設置位置情報を選択可能である設置位置情報選択部をさらに有する、
請求項１に記載の設備機器対応付け支援システム。
【請求項３】
前記情報表示部は、前記設置位置情報を文字情報として表示する、
請求項１または２に記載の設備機器対応付け支援システム。
【請求項４】
前記情報表示部は、地図情報を表示し、前記設置位置情報を前記地図情報上の特定の位置に図形情報および文字情報の少なくとも一方の情報として表示する、
請求項１または２に記載の設備機器対応付け支援システム。
【請求項５】
前記情報表示部は、前記情報対応付け保存部において前記自己識別情報と対応付けされて前記第３記憶部に保存された前記設置位置情報を、前記自己識別情報と対応付けされていない前記設置位置情報と区別して表示する、
請求項１から４のいずれかに記載の設備機器対応付け支援システム。
【請求項６】
前記情報表示部は、前記情報対応付け保存部において前記自己識別情報と対応付けされて前記第３記憶部に保存された前記設置位置情報を表示するための表示領域である第１表示領域と、前記自己識別情報と対応付けされていない前記設置位置情報を表示するための表示領域である第２表示領域とを設けて、前記設置位置情報を表示する、
請求項５に記載の設備機器対応付け支援システム。
【請求項７】
前記情報表示部は、前記情報対応付け保存部において前記自己識別情報と対応付けされて前記第３記憶部に保存された前記設置位置情報を非表示とする、
請求項１から４のいずれかに記載の設備機器対応付け支援システム。
【請求項８】
前記情報表示部は、前記情報受信部において受信された前記自己識別情報と同一である前記自己識別情報が前記第３記憶部に保存されている場合に、警告情報を表示する、
請求項１から７のいずれかに記載の設備機器対応付け支援システム。
【請求項９】
前記情報受信部において受信された前記自己識別情報と同一である前記自己識別情報が前記第３記憶部に保存されている場合に警告音を発する警告音発生部をさらに備える、
請求項１から８のいずれかに記載の設備機器対応付け支援システム。
【請求項１０】
前記情報表示部は、前記情報受信部において受信された前記自己識別情報と同一である前記自己識別情報が前記第３記憶部に保存されている場合に、前記第３記憶部に保存されている前記同一の前記自己識別情報と対応付けされている前記設置位置情報を、他の前記設置位置情報と区別して表示する、
請求項８または９に記載の設備機器対応付け支援システム。
【請求項１１】
前記情報表示部は、コマンドボタン（１０６）を表示し、前記コマンドボタンが選択された時点において前記自己識別情報と対応付けされていない前記設置位置情報が存在する場合に、警告情報を表示する、
請求項１から１０のいずれかに記載の設備機器対応付け支援システム。
【請求項１２】
前記情報表示部は、コマンドボタンを表示し、
前記コマンドボタンが選択されたときに前記自己識別情報と対応付けされていない前記設置位置情報が存在する場合に警告音を発する警告音発生部をさらに備える、
請求項１から１１のいずれかに記載の設備機器対応付け支援システム。
【請求項１３】
前記情報表示部は、前記自己識別情報と対応付けされていない前記設置位置情報を、前記自己識別情報と対応付けされている前記設置位置情報と区別して表示する、
請求項１１または１２に記載の設備機器対応付け支援システム。
【請求項１４】
前記無線情報端末は、前記自己識別情報を記憶する第４記憶部（７５）をさらに備え、
前記情報表示部は、前記無線情報受信部において受信された前記自己識別情報が前記第４記憶部に記憶される前記自己識別情報と一致しない場合に、警告情報を表示する、
請求項１から１３のいずれかに記載の設備機器対応付け支援システム。
【請求項１５】
前記無線情報端末は、前記自己識別情報を記憶する第４記憶部をさらに備え、
前記無線情報受信部において受信された前記自己識別情報が前記第４記憶部に記憶される前記自己識別情報と一致しない場合に警告音を発する警告音発生部をさらに備える、
請求項１から１４のいずれかに記載の設備機器対応付け支援システム。
【請求項１６】
前記無線情報端末は、前記自己識別情報を記憶する第４記憶部をさらに備え、
前記無線情報受信部において受信された前記自己識別情報が前記第４記憶部に記憶される前記自己識別情報と一致しない場合に、前記無線情報受信部において受信された前記自己識別情報を所定の情報処理装置に送信する第１情報送信部をさらに備える、
請求項１から１５のいずれかに記載の設備機器対応付け支援システム。
【請求項１７】
前記無線情報端末の位置情報を導出する無線情報端末位置情報導出手段をさらに備え、
前記無線情報端末の位置情報は、前記無線情報端末の前記情報表示部に表示される、
請求項１から１６のいずれかに記載の設備機器対応付け支援システム。
【請求項１８】
自己識別情報を記憶する第２記憶部と、前記第２記憶部に記憶される前記自己識別情報を無線発信する無線情報発信部とを有する無線情報保持体が付され且つ前記自己識別情報を記憶する第１記憶部を有する複数の設備機器と通信接続される集中管理機器において、前記設備機器の設置位置に関する情報である設置位置情報と前記自己識別情報との対応付けの確立を支援するために用いられる無線情報端末であって、
前記無線情報発信部から無線発信される前記自己識別情報を受信する無線情報受信部と、
前記設置位置情報を表示する情報表示部と、
前記無線情報受信部において受信された前記自己識別情報を、前記情報表示部に表示される特定の前記設置位置情報と対応付けして前記第３記憶部に保存する情報対応付け保存部と、
を備える、無線情報端末。
【請求項１９】
自己識別情報を記憶する第１記憶部（２５）を有する複数の設備機器（２０ａ，２０ｂ，２０ｃ，２０ｄ，・・・）と通信接続される集中管理機器（３）において、前記設備機器の設置位置に関する情報である設置位置情報と前記自己識別情報との対応付けの確立を支援するための設備機器対応付け支援システムであって、
前記自己識別情報を記憶する第２記憶部（６３）と、前記第２記憶部に記憶される前記自己識別情報を無線発信する無線情報発信部（６２）とを有し、前記設備機器に付される無線情報保持体（６ａ，６ｂ，６ｃ，６ｄ，・・・）と、
前記無線情報発信部から無線発信される前記自己識別情報を受信する無線情報受信部（８３ａ）と、前記設置位置情報を表示する情報表示部（８２）とを有する無線情報端末（７）と、
前記無線情報受信部において受信された前記自己識別情報を、前記情報表示部に表示される特定の前記設置位置情報と対応付けして第３記憶部に保存する情報対応付け保存手段と、
を備える、設備機器対応付け支援システム。
【請求項２０】
自己識別情報を記憶する第２記憶部と、前記第２記憶部に記憶される前記自己識別情報を無線発信する無線情報発信部とを有する無線情報保持体が付され且つ前記自己識別情報を記憶する第１記憶部を有する複数の設備機器と通信接続される集中管理機器において、前記設備機器の設置位置に関する情報である設置位置情報と前記自己識別情報との対応付けの確立を支援するために用いられる無線情報端末であって、
前記無線情報発信部から無線発信される前記自己識別情報を受信する無線情報受信部と、
前記設置位置情報を表示する情報表示部と、
前記無線情報受信部において受信された前記自己識別情報を所定の情報処理装置に送信する第２情報送信部と、
を備える、無線情報端末。
【発明の詳細な説明】
【技術分野】
【０００１】
本発明は、自己識別情報を記憶する第１記憶部を有する複数の設備機器と通信接続され、複数の設備機器を集中制御する集中管理機器において、設置位置情報と自己識別情報との対応付けの確立を支援するための設備機器対応付け支援システムに関する。また、本発明は、設備機器対応付け支援システムに用いられる無線情報端末にも関する。
【背景技術】
【０００２】
下記に示す特許文献１には、「リモコンを有する複数の空調機が集中管理機器に接続されている空調システムにおいて、集中管理機器に空調機のアドレスと空調機の設置場所名とを対応付けて保存するための方法の発明」が開示されている。この空調システムでは、先ず、サービスエンジニア等が、空調機に設けられているアドレス設定スイッチによりその空調機のアドレスを決定する。続いて、サービスエンジニア等が、その空調機に対応するリモコンにその空調機の設置場所名を入力する。すると、その設置場所名の情報が空調機に送信され、空調機がアドレスと設置場所名の情報とからアドレス設定情報を生成する。その後、空調機は、そのアドレス設定情報を集中管理機器に送信する。そして、集中管理機器は、アドレス設定データをアドレスと設置場所名とに分割して所定の保存場所へ保存する。
【０００３】
また、当業者に広く知られている別の方法では、先ず、集中管理機器により各空調機のアドレスを収集する（逆に、集中管理機器から自動的に各空調機にアドレスを付与する場合もある）。次に、サービスエンジニア等が、集中管理機器上で適当な空調機を１台選択してそのアドレスを認識する。そして、サービスエンジニア等が、集中管理機器からそのアドレスに運転開始指令を送信する。その後、サービスエンジニア等は、運転している空調機を発見するために建物を歩き回わる。そして、サービスエンジニア等が運転している空調機を発見すると、その空調機の設置位置をメモして集中管理機器へ戻る。そこで、サービスエンジニア等は、集中管理機器において、メモした設置位置を、そのアドレスに対応付けするように入力する。
【特許文献１】特開２００３−２２７６４４号公報
【発明の開示】
【発明が解決しようとする課題】
【０００４】
ところで、空調機のアドレスについては空調機の施工前に予め重複しないように設定しておくことが可能であるが、設置場所名については施工が間違っている場合があり得るため空調機の施工後に設定する必要がある。つまり、空調機にリモコンを接続しない場合に前者の方法を実施するためには、サービスエンジニア等が天井裏などによじ登り空調機本体に専用リモコンなどを接続して設置場所名を空調機に直接入力しなければならないことになり、非常に不便である。また、後者の方法では、サービスエンジニア等は、天井裏によじ登る必要はないが、１台ずつ上記の作業を行わなければならないため、全空調機に対して対応付けが完了するまでに相当の距離を歩き回らなければならない。したがって、後者の方法を採る場合、サービスエンジニア等の作業負担が大きく、対応付け完了までにかなりの時間を費やさなければならない。
【０００５】
本発明の課題は、複数の空調機のような設備機器が集中管理機器に接続されている空調システムにおいて、サービスエンジニア等に大きな負担をかけることなく、簡便に、集中管理機器に設備機器のアドレスと設備機器の設置場所とを対応付けることができる設備機器対応付け支援システムを提供することにある。
【課題を解決するための手段】
【０００６】
第１発明に係る設備機器対応付け支援システムは、第１記憶部を有する複数の設備機器と通信接続される集中管理機器において、設置位置情報と自己識別情報との対応付けの確立を支援するための設備機器対応付け支援システムであって、無線情報保持体および無線情報端末を備える。なお、第１記憶部には、自己識別情報が記憶される。また、ここにいう「設置位置情報」とは、設備機器の設置位置に関する情報である。無線情報保持体は、第２記憶部および無線情報発信部を有する。なお、ここにいう「無線情報保持体」とは、例えば、ＲＦＩＤタグ等である。また、このＲＦＩＤタグは、静電結合方式、電磁結合方式、電磁誘導方式、電波方式、および光方式のいずれの方式のタイプであっても採用可能である。また、ＲＦＩＤタグとして、パッシブ型のＲＦＩＤタグ（リーダからの電磁誘導などによってタグ内で発電しその電力で情報を発信するタイプ）、およびアクティブ型のＲＦＩＤタグ（タグ内に電池があり、自発的に情報を発信するタイプ）のどちらも採用可能である。第２記憶部には、自己識別情報が記憶される。無線情報発信部は、第２記憶部に記憶される自己識別情報を無線発信する。そして、この無線情報保持体は、設備機器に付される。無線情報端末は、無線情報受信部、情報表示部、および情報対応付け保存部を有する。なお、ここにいう「無線情報端末」とは、ＲＦＩＤタグ用リーダや、ＲＦＩＤタグに記憶されている情報を読み取り可能な携帯電話、ポケットコンピュータ、ＰＤＡ等の携帯端末などである。無線情報受信部は、無線情報発信部から無線発信される自己識別情報を受信する。情報表示部は、設置位置情報を表示する。情報対応付け保存部は、無線情報受信部において受信された自己識別情報を、情報表示部に表示される特定の設置位置情報と対応付けして第３記憶部に保存する。なお、情報表示部に表示される設置位置情報は複数であってもよいし一つであってもよい。また、設置位置情報については表示順序または選択順序が予め決定されていてもよいしサービスエンジニア等が表示順序または選択順序を適宜変更することができるようにしてもよい。また、無線情報発信部が特定周波数の電波、電磁波、または光に応答して自己識別情報を無線発信するようにしてもよい。ただし、かかる場合、無線情報端末には、特定周波数の電波、電磁波、または光を発信する電波等発信部が必要となる。
【０００７】
この設備機器対応付け支援システムでは、サービスエンジニア等が、無線情報端末を携帯して、情報表示部に表示される特定の設置位置に向かい、設備機器に付されている無線情報保持体に無線情報端末を近づけ、無線情報保持体の無線情報発信部から発信される自己識別情報を無線情報受信部により受信する。すると、情報対応付け保存部が、その自己識別情報を、情報表示部に表示される特定の設置位置情報と対応付けして第３記憶部に保存する。サービスエンジニア等は、このような作業を設置されている全ての設備機器について行った後、集中管理機器に向かう。サービスエンジニア等は、無線情報端末の第３記憶部に保存されている対応付け済みの自己識別情報と設置位置情報とを集中管理機器に転送する。なお、この転送操作はリムーバルディスク等を介して間接的に行われてもよいし、無線または有線で直接的に行われてもよい。このため、この設備機器対応付け支援システムでは、設備機器にリモコンが接続されない場合であっても、サービスエンジニア等は、天井裏などによじ登る必要はない。また、この設備機器対応付け支援システムでは、サービスエンジニア等は、任意のルートを通って設備機器の設置位置を巡回し、全ての設備機器の設置位置を巡回し終えた後に集中管理機器に戻ればよい。したがって、この設備機器対応付け支援システムでは、複数の設備機器が集中管理機器に接続されている空調システムにおいて、サービスエンジニア等に大きな負担をかけることなく、簡便に、集中管理機器に設備機器のアドレスと設備機器の設置場所とを対応付けて保存することができる。なお、設備機器は、第２記憶部に記憶される自己識別情報と同一の自己識別情報を第１記憶部に有しているので、集中管理機器は、無線情報端末から転送された自己識別情報を利用して設備機器の識別を行い、種々の制御や監視などを行うことができる。なお、集中管理機器が設備機器に対して別の自己識別情報を付与して、その別の自己識別情報を利用して各種制御や監視を行ってもよい（この場合、第１記憶部に記憶されている自己識別情報と集中管理機器が配布する別の自己識別情報との対応付けが自動的にとれるので、集中管理機器が配布する別の自己識別情報と設置位置情報との対応付けも自動的に行うことができる。）。また、無線情報保持体としてＲＦＩＤを採用する場合、一度に２つ以上の自己識別情報を読まないように、適切な通信距離を有するＲＦＩＤを選択することが重要である。
【０００８】
第２発明に係る設備機器対応付け支援システムは、第１発明に係る設備機器対応付け支援システムであって、無線情報端末は、設置位置情報選択部をさらに有する。設置位置情報選択部は、情報表示部に表示される設置位置情報のうち特定の設置位置情報を選択可能である。
この設備機器対応付け支援システムでは、設置位置情報選択部が、情報表示部に表示される設置位置情報のうち特定の設置位置情報を選択可能である。このため、この設備機器対応付け支援システムでは、サービスエンジニア等は、任意の順番で設備機器の設置位置を巡ることができる。
【０００９】
第３発明に係る設備機器対応付け支援システムは、第１発明または第２発明に係る設備機器対応付け支援システムであって、情報表示部は、設置位置情報を文字情報として表示する。
この設備機器対応付け支援システムでは、情報表示部が、設置位置情報を文字情報として表示する。このため、この設備機器対応付け支援システムでは、無線情報端末の情報処理量を低減することができる。
【００１０】
第４発明に係る設備機器対応付け支援システムは、第１発明または第２発明に係る設備機器対応付け支援システムであって、情報表示部は、地図情報を表示し、設置位置情報を地図情報上の特定の位置に図形情報および文字情報の少なくとも一方の情報として表示する。なお、ここにいう「地図情報」とは、例えば、建造物のフロアレイアウト情報などである。また、ここにいう「図形情報」とは、例えば、アイコンやコマンドボタン等である。
この設備機器対応付け支援システムでは、情報表示部が、地図情報を表示し、設置位置情報を地図情報上の特定の位置に図形情報および文字情報の少なくとも一方の情報として表示する。このため、この設備機器対応付け支援システムでは、サービスエンジニア等が設備機器の設置位置を誤認するおそれを低減することができる。
【００１１】
第５発明に係る設備機器対応付け支援システムは、第１発明から第４発明のいずれかに係る設備機器対応付け支援システムであって、情報表示部は、情報対応付け保存部において自己識別情報と対応付けされて第３記憶部に保存された設置位置情報を、自己識別情報と対応付けされていない設置位置情報と区別して表示する。なお、「区別して表示する」態様としては、設置位置情報が文字情報である場合、文字の変更や、字体の変更、文字色の変更、背景色の変更、下線引き、ボールド表示などが挙げられ、設置位置情報が図形情報である場合、図形の変更や、図形色の変更、図形枠の色の変更などが挙げられる。
【００１２】
この設備機器対応付け支援システムでは、情報表示部が、情報対応付け保存部において自己識別情報と対応付けされて第３記憶部に保存された設置位置情報を、自己識別情報と対応付けされていない設置位置情報と区別して表示する。このため、この設備機器対応付け支援システムでは、サービスエンジニア等は、対応付け作業がどこまで完了しているのか、どの設備機器の自己識別情報と設置位置情報とが未だに対応付けされていないのか等を認識することができる。したがって、この設備機器対応付け支援システムでは、サービスエンジニア等が重複して同じ対応付け作業を行うことを防止することができる。この結果、この設備機器対応付け支援システムでは、サービスエンジニア等は、スムーズに対応付け作業を進めることができる。
【００１３】
第６発明に係る設備機器対応付け支援システムは、第５発明に係る設備機器対応付け支援システムであって、情報表示部は、第１表示領域および第２表示領域を設けて、設置位置情報を表示する。なお、ここにいう「第１表示領域」とは、情報対応付け保存部において自己識別情報と対応付けされて第３記憶部に保存された設置位置情報を表示するための表示領域である。また、ここにいう「第２表示領域」とは、自己識別情報と対応付けされていない設置位置情報を表示するための表示領域である。
【００１４】
この設備機器対応付け支援システムでは、情報表示部が、第１表示領域および第２表示領域を設けて、設置位置情報を表示する。このため、この設備機器対応付け支援システムでは、サービスエンジニア等は、対応付け作業がどこまで完了しているのか、どの設備機器の自己識別情報と設置位置情報とが未だに対応付けされていないのか等を認識することができる。したがって、この設備機器対応付け支援システムでは、サービスエンジニア等が重複して同じ対応付け作業を行うことを防止することができる。この結果、この設備機器対応付け支援システムでは、サービスエンジニア等は、スムーズに対応付け作業を進めることができる。
【００１５】
第７発明に係る設備機器対応付け支援システムは、第１発明から第４発明のいずれかに係る設備機器対応付け支援システムであって、情報表示部は、情報対応付け保存部において自己識別情報と対応付けされて第３記憶部に保存された設置位置情報を非表示とする。
この設備機器対応付け支援システムでは、情報表示部が、情報対応付け保存部において自己識別情報と対応付けされて第３記憶部に保存された設置位置情報を非表示とする。このため、この設備機器対応付け支援システムでは、サービスエンジニア等は、対応付け作業がどこまで完了しているのか、どの設備機器の自己識別情報と設置位置情報とが未だに対応付けされていないのか等を認識することができる。したがって、この設備機器対応付け支援システムでは、サービスエンジニア等が重複して同じ対応付け作業を行うことを防止することができる。この結果、この設備機器対応付け支援システムでは、サービスエンジニア等は、スムーズに対応付け作業を進めることができる。
【００１６】
第８発明に係る設備機器対応付け支援システムは、第１発明から第７発明のいずれかに係る設備機器対応付け支援システムであって、情報表示部は、情報受信部において受信された自己識別情報と同一である自己識別情報が第３記憶部に保存されている場合に、警告情報を表示する。
この設備機器対応付け支援システムでは、情報表示部が、情報受信部において受信された自己識別情報と同一である自己識別情報が第３記憶部に保存されている場合に、警告情報を表示する。このため、この設備機器対応付け支援システムでは、サービスエンジニア等が対応付け済みの設備機器を再度対応付けしたり、サービスエンジニア等が異なる設置位置情報に対して同一の自己識別情報を対応付けたりすることを防止することができる。
【００１７】
第９発明に係る設備機器対応付け支援システムは、第１発明から第８発明のいずれかに係る設備機器対応付け支援システムであって、警告音発生部をさらに備える。警告音発生部は、情報受信部において受信された自己識別情報と同一である自己識別情報が第３記憶部に保存されている場合に警告音を発する。
この設備機器対応付け支援システムでは、警告音発生部が、情報受信部において受信された自己識別情報と同一である自己識別情報が第３記憶部に保存されている場合に警告音を発する。このため、この設備機器対応付け支援システムでは、サービスエンジニア等が対応付け済みの設備機器を再度対応付けしたり、サービスエンジニア等が異なる設置位置情報に対して同一の自己識別情報を対応付けたりすることを防止することができる。
【００１８】
第１０発明に係る設備機器対応付け支援システムは、第８発明または第９発明に係る設備機器対応付け支援システムであって、情報表示部は、情報受信部において受信された自己識別情報と同一である自己識別情報が第３記憶部に保存されている場合に、第３記憶部に保存されている同一の自己識別情報と対応付けされている設置位置情報を、他の設置位置情報と区別して表示する。なお、「区別して表示する」態様としては、設置位置情報が文字情報である場合、文字の変更や、字体の変更、文字色の変更、下線引き、ボールド表示などが挙げられ、設置位置情報が図形情報である場合、図形の変更や、図形色の変更、図形枠の色の変更などが挙げられる。また、対象となる設置位置情報を点灯させたり点滅させたりする等のことも考えられる。
【００１９】
この設備機器対応付け支援システムでは、情報表示部が、情報受信部において受信された自己識別情報と同一である自己識別情報が第３記憶部に保存されている場合に、第３記憶部に保存されている同一の自己識別情報と対応付けされている設置位置情報を、他の設置位置情報と区別して表示する。このため、この設備機器対応付け支援システムでは、サービスエンジニア等が対応付け済みの設備機器を再度対応付けしようとしたときや、サービスエンジニア等が異なる設置位置情報に対して同一の自己識別情報を対応付けたりしようとしたとき等に、すでに対応付け済みの設備機器を容易に特定することができる。したがって、この設備機器対応付け支援システムでは、サービスエンジニア等は、容易に対応付けの確認作業を行うことができる。
【００２０】
第１１発明に係る設備機器対応付け支援システムは、第１発明から第１０発明のいずれかに係る設備機器対応付け支援システムであって、情報表示部は、コマンドボタンを表示し、コマンドボタンが選択された時点において自己識別情報と対応付けされていない設置位置情報が存在する場合に、警告情報を表示する。
この設備機器対応付け支援システムでは、情報表示部が、コマンドボタンを表示し、コマンドボタンが選択された時点において自己識別情報と対応付けされていない設置位置情報が存在する場合に、警告情報を表示する。このため、この設備機器対応付け支援システムでは、コマンドボタンが例えば対応付け作業を完了する意味で選択される場合、サービスエンジニア等は、対応付け作業が完了したのか否かを客観的に判断することができる。
【００２１】
第１２発明に係る設備機器対応付け支援システムは、第１発明から第１１発明のいずれかに係る設備機器対応付け支援システムであって、情報表示部は、コマンドボタンを表示する。そして、この設備機器対応付け支援システムは、警告音発生部をさらに備える。警告音発生部は、コマンドボタンが選択されたときに自己識別情報と対応付けされていない設置位置情報が存在する場合に警告音を発する。
【００２２】
この設備機器対応付け支援システムでは、警告音発生部が、コマンドボタンが選択されたときに自己識別情報と対応付けされていない設置位置情報が存在する場合に警告音を発する。このため、この設備機器対応付け支援システムでは、コマンドボタンが例えば対応付け作業を完了する意味で選択される場合、サービスエンジニア等は、対応付け作業が完了したのか否かを客観的に判断することができる。
【００２３】
第１３発明に係る設備機器対応付け支援システムは、第１１発明または第１２発明に係る設備機器対応付け支援システムであって、情報表示部は、自己識別情報と対応付けされていない設置位置情報を、自己識別情報と対応付けされている設置位置情報と区別して表示する。なお、「区別して表示する」態様としては、設置位置情報が文字情報である場合、文字の変更や、字体の変更、文字色の変更、下線引き、ボールド表示などが挙げられ、設置位置情報が図形情報である場合、図形の変更や、図形色の変更、図形枠の色の変更などが挙げられる。また、対象となる設置位置情報を点灯させたり点滅させたりする等のことも考えられる。
この設備機器対応付け支援システムでは、情報表示部が、自己識別情報と対応付けされていない設置位置情報を、自己識別情報と対応付けされている設置位置情報と区別して表示する。このため、この設備機器対応付け支援システムでは、サービスエンジニア等は、対応付けが完了していない設備機器を容易に特定することができる。
【００２４】
第１４発明に係る設備機器対応付け支援システムは、第１発明から第１３発明のいずれかに係る設備機器対応付け支援システムであって、無線情報端末は、第４記憶部をさらに備える。第４記憶部には、自己識別情報が記憶される。情報表示部は、無線情報受信部において受信された自己識別情報が第４記憶部に記憶される自己識別情報と一致しない場合に警告情報を表示する。
【００２５】
近年、流通管理のためにＲＦＩＤタグ等が流通製品に付される機会が多くなってきている。設備機器についても例外ではなくＲＦＩＤタグが付され流通管理が行われつつある。このように設備機器にＲＦＩＤタグが付される場合、通常、工場などにおいてＲＦＩＤタグ等から機種番号や製造番号などの設備機器の自己識別情報が読み取られ、さらに、その自己識別情報それぞれについて出荷先情報との対応付けが出荷管理コンピュータなどの上で行われることになる。つまり、工場などにおいて読み取られた設備機器の自己識別情報を第４記憶部に予め記憶させておけば、サービスエンジニア等は、設備機器の設置位置情報を自己識別情報と対応付けしながら、設備機器が正しく納入されているか否かについても確認することができる。
【００２６】
第１５発明に係る設備機器対応付け支援システムは、第１発明から第１４発明のいずれかに係る設備機器対応付け支援システムであって、無線情報端末は、第４記憶部をさらに備える。第４記憶部には、自己識別情報が記憶される。そして、この設備機器対応付け支援システムは、警告音発生部をさらに備える。警告音発生部は、無線情報受信部において受信された自己識別情報が第４記憶部に記憶される自己識別情報と一致しない場合に、警告音を発する。
【００２７】
近年、流通管理のためにＲＦＩＤタグ等が流通製品に付される機会が多くなってきている。設備機器についても例外ではなくＲＦＩＤタグが付され流通管理が行われつつある。このように設備機器にＲＦＩＤタグが付される場合、通常、工場などにおいてＲＦＩＤタグ等から機種番号や製造番号などの設備機器の自己識別情報が読み取られ、さらに、その自己識別情報それぞれについて出荷先情報との対応付けが出荷管理コンピュータなどの上で行われることになる。つまり、工場などにおいて読み取られた設備機器の自己識別情報を第４記憶部に予め記憶させておけば、サービスエンジニア等は、設備機器の設置位置情報を自己識別情報と対応付けしながら、設備機器が正しく納入されているか否かについても確認することができる。
【００２８】
第１６発明に係る設備機器対応付け支援システムは、第１発明から第１５発明のいずれかに係る設備機器対応付け支援システムであって、無線情報端末は、第４記憶部をさらに備える。第４記憶部には、自己識別情報が記憶される。そして、この設備機器対応付け支援システムは、第１情報送信部をさらに備える。第１情報送信部は、無線情報受信部において受信された自己識別情報が第４記憶部に記憶される自己識別情報と一致しない場合に、無線情報受信部において受信された自己識別情報を所定の情報処理装置に送信する。
【００２９】
近年、流通管理のためにＲＦＩＤタグ等が流通製品に付される機会が多くなってきている。設備機器についても例外ではなくＲＦＩＤタグが付され流通管理が行われつつある。このように設備機器にＲＦＩＤタグが付される場合、通常、工場などにおいてＲＦＩＤタグ等から機種番号や製造番号などの設備機器の自己識別情報が読み取られ、さらに、その自己識別情報それぞれについて出荷先情報との対応付けが出荷管理コンピュータなどの上で行われることになる。つまり、工場などにおいて読み取られた設備機器の自己識別情報を第４記憶部に予め記憶させておき、無線情報受信部において受信された自己識別情報が第４記憶部に記憶される自己識別情報と一致しない場合に、第１情報送信部が無線情報受信部において受信された自己識別情報を出荷管理コンピュータ等に送信するようにしておけば、出荷管理担当者などは、出荷管理ミスを自動的に把握することができるようになる。
【００３０】
第１７発明に係る設備機器対応付け支援システムは、第１発明から第１６発明のいずれかに係る設備機器対応付け支援システムであって、無線情報端末位置情報導出手段をさらに備える。無線情報端末位置情報導出手段は、無線情報端末の位置情報を導出する。そして、無線情報端末の位置情報は、無線情報端末の情報表示部に表示される。
この設備機器対応付け支援システムでは、無線情報端末位置情報導出手段が、無線情報端末の位置情報を導出する。そして、その無線情報端末の位置情報が、無線情報端末の情報表示部に表示される。このため、この設備機器対応付け支援システムでは、サービスエンジニア等は、対応付けしたい設備機器を確実に特定することができる。
【００３１】
第１８発明に係る無線情報端末は、第２記憶部および無線情報発信部を有する無線情報保持体が付され且つ第１記憶部を有する複数の設備機器と通信接続される集中管理機器において、設置位置情報と自己識別情報との対応付けの確立を支援するために用いられる無線情報端末であって、無線情報受信部、情報表示部、および情報対応付け保存部を備える。なお、第１記憶部には、自己識別情報が記憶される。また、第２記憶部には、自己識別情報が記憶される。また、無線情報発信部は、第２記憶部に記憶される自己識別情報を無線発信する。また、ここにいう「設置位置情報」とは、設備機器の設置位置に関する情報である。無線情報受信部は、無線情報発信部から無線発信される自己識別情報を受信する。情報表示部は、設置位置情報を表示する。情報対応付け保存部は、無線情報受信部において受信された自己識別情報を、情報表示部に表示される特定の設置位置情報と対応付けして第３記憶部に保存する。
【００３２】
サービスエンジニア等は、この無線情報端末を携帯して、情報表示部に表示される特定の設置位置に向かい、設備機器に付されている無線情報保持体に無線情報端末を近づけ、無線情報保持体の無線情報発信部から発信される自己識別情報を無線情報受信部により受信する。すると、情報対応付け保存部が、その自己識別情報を、情報表示部に表示される特定の設置位置情報と対応付けして第３記憶部に保存する。サービスエンジニア等は、このような作業を設置される全ての設備機器について行った後、集中管理機器に向かう。サービスエンジニア等は、無線情報端末の第３記憶部に保存されている対応付け済みの自己識別情報と設置位置情報とを集中管理機器に転送する。なお、この転送操作はリムーバルディスク等を介して間接的に行われてもよいし、無線または有線で直接的に行われてもよい。このため、この無線情報端末を利用すれば、複数の設備機器が集中制御される空調システムにおいて設備機器にリモコンが接続されない場合であっても、サービスエンジニア等は、天井裏などによじ登る必要はない。また、この無線情報端末を利用すれば、サービスエンジニア等は、任意のルートを通って設備機器の設置位置を巡回し、全ての設備機器の設置位置を巡回し終えた後に集中管理機器に戻ればよい。したがって、この無線情報端末を利用すれば、複数の設備機器が集中管理機器に接続されている空調システムにおいて、サービスエンジニア等は大きな負担を感じることなく、簡便に、集中管理機器に設備機器のアドレスと設備機器の設置場所とを対応付けて保存することができる。なお、設備機器は、第２記憶部に記憶される自己識別情報と同一の自己識別情報を第１記憶部に有しているので、集中管理機器は、無線情報端末から転送された自己識別情報を利用して設備機器の識別を行い、種々の制御や監視などを行うことができる。なお、集中管理機器が設備機器に対して別の自己識別情報を付与して、その別の自己識別情報を利用して各種制御や監視を行ってもよい。また、無線情報保持体としてＲＦＩＤを採用する場合、一度に２つ以上の自己識別情報を読まないように、適切な通信距離を有するＲＦＩＤを選択することが重要である。
【００３３】
第１９発明に係る設備機器対応付け支援システムは、第１記憶部を有する複数の設備機器と通信接続される集中管理機器において、設置位置情報と自己識別情報との対応付けの確立を支援するための設備機器対応付け支援システムであって、無線情報保持体、無線情報端末、および情報対応付け保存手段を備える。なお、第１記憶部には、自己識別情報が記憶される。また、ここにいう「設置位置情報」とは、設備機器の設置位置に関する情報である。また、この情報対応付け保存手段は、無線情報端末、集中管理機器、およびその他の情報処理装置（例えば、遠隔監視サーバ等）のいずれに設けられてもかまわない。無線情報保持体は、第２記憶部および無線情報発信部を有する。なお、ここにいう「無線情報保持体」とは、例えば、ＲＦＩＤタグ等である。また、このＲＦＩＤタグは、静電結合方式、電磁結合方式、電磁誘導方式、電波方式、および光方式のいずれの方式のタイプであっても採用可能である。また、ＲＦＩＤタグとして、パッシブ型のＲＦＩＤタグ（リーダからの電磁誘導などによってタグ内で発電しその電力で情報を発信するタイプ）、およびアクティブ型のＲＦＩＤタグ（タグ内に電池があり、自発的に情報を発信するタイプ）のどちらも採用可能である。第２記憶部には、自己識別情報が記憶される。無線情報発信部は、第２記憶部に記憶される自己識別情報を無線発信する。そして、この無線情報保持体は、設備機器に付される。無線情報端末は、無線情報受信部、および情報表示部を有する。なお、ここにいう「無線情報端末」とは、ＲＦＩＤタグ用リーダや、ＲＦＩＤタグに記憶されている情報を読み取り可能な携帯電話、ポケットコンピュータ、ＰＤＡ等の携帯端末などである。無線情報受信部は、無線情報発信部から無線発信される自己識別情報を受信する。情報表示部は、設置位置情報を表示する。なお、情報表示部に表示される設置位置情報は複数であってもよいし一つであってもよい。また、設置位置情報については表示順序または選択順序が予め決定されていてもよいしサービスエンジニア等が表示順序または選択順序を適宜変更することができるようにしてもよい。情報対応付け保存手段は、無線情報受信部において受信された自己識別情報を、情報表示部に表示される特定の設置位置情報と対応付けして第３記憶部に保存する。なお、無線情報発信部が特定周波数の電波、電磁波、または光に応答して自己識別情報を無線発信するようにしてもよい。ただし、かかる場合、無線情報端末には、特定周波数の電波、電磁波、または光を発信する電波等発信部が必要となる。
【００３４】
この設備機器対応付け支援システムでは、サービスエンジニア等が、無線情報端末を携帯して、情報表示部に表示される特定の設置位置に向かい、設備機器に付されている無線情報保持体に無線情報端末を近づけ、無線情報保持体の無線情報発信部から発信される自己識別情報を無線情報受信部により受信する。すると、情報対応付け保存手段が、その自己識別情報を、情報表示部に表示される特定の設置位置情報と対応付けして第３記憶部に保存する。情報対応付け保存手段が無線情報端末に設けられている場合、サービスエンジニア等は、このような作業を設置されている全ての設備機器について行った後、集中管理機器に向かう。サービスエンジニア等は、無線情報端末の第３記憶部に保存されている対応付け済みの自己識別情報と設置位置情報とを集中管理機器に転送する。なお、この転送操作はリムーバルディスク等を介して間接的に行われてもよいし、無線または有線で直接的に行われてもよい。また、情報対応付け保存手段が集中管理機器に設けられている場合、サービスエンジニア等は、集中管理機器へのデータ転送処理を省略することができる（ここでは、第３記憶部が集中管理機器に設けられるため）。また、情報対応付け保存手段が遠隔監視サーバ等に設けられている場合、サービスエンジニア等は、上記の作業を設置されている全ての設備機器について行った後、集中管理機器に向かい、遠隔監視サーバ等から対応付け済みの自己識別情報と設置位置情報とをダウンロードすればよい。このため、この設備機器対応付け支援システムでは、設備機器にリモコンが接続されない場合であっても、サービスエンジニア等は、天井裏などによじ登る必要はない。また、この設備機器対応付け支援システムでは、サービスエンジニア等は、任意のルートを通って設備機器の設置位置を巡回し、場合によっては全ての設備機器の設置位置を巡回し終えた後に集中管理機器に戻ればよい（情報対応付け保存手段が集中管理機器に設けられている場合、サービスエンジニア等は、集中管理機器に戻らなくてもよい）。したがって、この設備機器対応付け支援システムでは、複数の設備機器が集中管理機器に接続されている空調システムにおいて、サービスエンジニア等に大きな負担をかけることなく、簡便に、集中管理機器に設備機器のアドレスと設備機器の設置場所とを対応付けて保存することができる。なお、設備機器は、第２記憶部に記憶される自己識別情報と同一の自己識別情報を第１記憶部に有しているので、集中管理機器は、無線情報端末から転送された自己識別情報を利用して設備機器の識別を行い、種々の制御や監視などを行うことができる。なお、集中管理機器が設備機器に対して別の自己識別情報を付与して、その別の自己識別情報を利用して各種制御や監視を行ってもよい（この場合、第１記憶部に記憶されている自己識別情報と集中管理機器が配布する別の自己識別情報との対応付けが自動的にとれるので、集中管理機器が配布する別の自己識別情報と設置位置情報との対応付けも自動的に行うことができる。）。また、無線情報保持体としてＲＦＩＤを採用する場合、一度に２つ以上の自己識別情報を読まないように、適切な通信距離を有するＲＦＩＤを選択することが重要である。
【００３５】
第２０発明に係る無線情報端末は、第２記憶部および無線情報発信部を有する無線情報保持体が付され且つ第１記憶部を有する複数の設備機器と通信接続される集中管理機器において、設置位置情報と自己識別情報との対応付けの確立を支援するために用いられる無線情報端末であって、無線情報受信部、情報表示部、および第２情報送信部を備える。なお、第１記憶部には、自己識別情報が記憶される。また、第２記憶部には、自己識別情報が記憶される。また、無線情報発信部は、第２記憶部に記憶される自己識別情報を無線発信する。また、ここにいう「設置位置情報」とは、設備機器の設置位置に関する情報である。無線情報受信部は、無線情報発信部から無線発信される自己識別情報を受信する。情報表示部は、設置位置情報を表示する。第２情報送信部は、無線情報受信部において受信された自己識別情報を所定の情報処理装置に送信する。
【００３６】
サービスエンジニア等は、この無線情報端末を携帯して、情報表示部に表示される特定の設置位置に向かい、設備機器に付されている無線情報保持体に無線情報端末を近づけ、無線情報保持体の無線情報発信部から発信される自己識別情報を無線情報受信部により受信する。すると、第２情報送信部が、無線情報受信部において受信された自己識別情報を所定の情報処理装置に送信する。ここで、所定の情報処理装置に、無線情報受信部において受信された自己識別情報を、情報表示部に表示される特定の設置位置情報と対応付けして第３記憶部に保存する情報対応付け保存手段が設けられていれば、その所定の情報処理装置において、無線情報受信部において受信された自己識別情報が、情報表示部に表示される特定の設置位置情報と対応付けされて第３記憶部に保存される。所定の情報処理装置が集中管理装置である場合、サービスエンジニア等は、集中管理機器へのデータ転送処理を省略することができる。また、所定の情報処理装置が遠隔監視サーバ等である場合、サービスエンジニア等は、上記の作業を設置されている全ての設備機器について行った後、集中管理機器に向かい、遠隔監視サーバ等から対応付け済みの自己識別情報と設置位置情報とをダウンロードすればよい。このため、この無線情報端末を利用すれば、複数の設備機器が集中制御される空調システムにおいて設備機器にリモコンが接続されない場合であっても、サービスエンジニア等は、天井裏などによじ登る必要はない。また、この無線情報端末を利用すれば、サービスエンジニア等は、任意のルートを通って設備機器の設置位置を巡回し、場合によっては全ての設備機器の設置位置を巡回し終えた後に集中管理機器に戻ればよい（所定の情報処理装置が集中管理機器である場合、サービスエンジニア等は、集中管理機器に戻らなくてもよい）。したがって、この無線情報端末を利用すれば、複数の設備機器が集中管理機器に接続されている空調システムにおいて、サービスエンジニア等は大きな負担を感じることなく、簡便に、集中管理機器に設備機器のアドレスと設備機器の設置場所とを対応付けて保存することができる。なお、設備機器は、第２記憶部に記憶される自己識別情報と同一の自己識別情報を第１記憶部に有しているので、集中管理機器は、無線情報端末から転送された自己識別情報を利用して設備機器の識別を行い、種々の制御や監視などを行うことができる。なお、集中管理機器が設備機器に対して別の自己識別情報を付与して、その別の自己識別情報を利用して各種制御や監視を行ってもよい。また、無線情報保持体としてＲＦＩＤを採用する場合、一度に２つ以上の自己識別情報を読まないように、適切な通信距離を有するＲＦＩＤを選択することが重要である。
【発明の効果】
【００３７】
第１発明に係る設備機器対応付け支援システムでは、設備機器にリモコンが接続されない場合であっても、サービスエンジニア等は、天井裏などによじ登る必要はない。また、この設備機器対応付け支援システムでは、サービスエンジニア等は、任意のルートを通って設備機器の設置位置を巡回し、全ての設備機器の設置位置を巡回し終えた後に集中管理機器に戻ればよい。したがって、この設備機器対応付け支援システムでは、複数の設備機器が集中管理機器に接続されている空調システムにおいて、簡便に、集中管理機器に設備機器のアドレスと設備機器の設置場所とを対応付けて保存することができる。
【００３８】
第２発明に係る設備機器対応付け支援システムでは、サービスエンジニア等は、任意の順番で設備機器の設置位置を巡ることができる。
第３発明に係る設備機器対応付け支援システムでは、無線情報端末の情報処理量を低減することができる。
第４発明に係る設備機器対応付け支援システムでは、サービスエンジニア等が設備機器の設置位置を誤認するおそれを低減することができる。
【００３９】
第５発明に係る設備機器対応付け支援システムでは、サービスエンジニア等は、対応付け作業がどこまで完了しているのか、どの設備機器の自己識別情報と設置位置情報とが未だに対応付けされていないのか等を認識することができる。したがって、この設備機器対応付け支援システムでは、サービスエンジニア等が重複して同じ対応付け作業を行うことを防止することができる。この結果、この設備機器対応付け支援システムでは、サービスエンジニア等は、スムーズに対応付け作業を進めることができる。
【００４０】
第６発明に係る設備機器対応付け支援システムでは、サービスエンジニア等は、対応付け作業がどこまで完了しているのか、どの設備機器の自己識別情報と設置位置情報とが未だに対応付けされていないのか等を認識することができる。したがって、この設備機器対応付け支援システムでは、サービスエンジニア等が重複して同じ対応付け作業を行うことを防止することができる。この結果、この設備機器対応付け支援システムでは、サービスエンジニア等は、スムーズに対応付け作業を進めることができる。
【００４１】
第７発明に係る設備機器対応付け支援システムでは、サービスエンジニア等は、対応付け作業がどこまで完了しているのか、どの設備機器の自己識別情報と設置位置情報とが未だに対応付けされていないのか等を認識することができる。したがって、この設備機器対応付け支援システムでは、サービスエンジニア等が重複して同じ対応付け作業を行うことを防止することができる。この結果、この設備機器対応付け支援システムでは、サービスエンジニア等は、スムーズに対応付け作業を進めることができる。
【００４２】
第８発明に係る設備機器対応付け支援システムでは、サービスエンジニア等が対応付け済みの設備機器を再度対応付けしたり、サービスエンジニア等が異なる設置位置情報に対して同一の自己識別情報を対応付けたりすることを防止することができる。
第９発明に係る設備機器対応付け支援システムでは、サービスエンジニア等が対応付け済みの設備機器を再度対応付けしたり、サービスエンジニア等が異なる設置位置情報に対して同一の自己識別情報を対応付けたりすることを防止することができる。
【００４３】
第１０発明に係る設備機器対応付け支援システムでは、サービスエンジニア等が対応付け済みの設備機器を再度対応付けしようとしたときや、サービスエンジニア等が異なる設置位置情報に対して同一の自己識別情報を対応付けたりしようとしたとき等に、すでに対応付け済みの設備機器を容易に特定することができる。したがって、この設備機器対応付け支援システムでは、サービスエンジニア等は、容易に対応付けの確認作業を行うことができる。
【００４４】
第１１発明に係る設備機器対応付け支援システムでは、コマンドボタンが例えば対応付け作業を完了する意味で選択される場合、サービスエンジニア等は、対応付け作業が完了したのか否かを客観的に判断することができる。
第１２発明に係る設備機器対応付け支援システムでは、コマンドボタンが例えば対応付け作業を完了する意味で選択される場合、サービスエンジニア等は、対応付け作業が完了したのか否かを客観的に判断することができる。
【００４５】
第１３発明に係る設備機器対応付け支援システムでは、サービスエンジニア等は、対応付けが完了していない設備機器を容易に特定することができる。
第１４発明に係る設備機器対応付け支援システムでは、第４記憶部に工場などにおいて読み取られた設備機器の自己識別情報を予め記憶させておけば、サービスエンジニア等は、設備機器の設置位置情報を自己識別情報と対応付けしながら、設備機器が正しく納入されているか否かについても確認することができる。
【００４６】
第１５発明に係る設備機器対応付け支援システムでは、第４記憶部に工場などにおいて読み取られた設備機器の自己識別情報を予め記憶させておけば、サービスエンジニア等は、設備機器の設置位置情報を自己識別情報と対応付けしながら、設備機器が正しく納入されているか否かについても確認することができる。
第１６発明に係る設備機器対応付け支援システムでは、第４記憶部に工場などにおいて読み取られた設備機器の自己識別情報を予め記憶させておき、無線情報受信部において受信された自己識別情報が第４記憶部に記憶される自己識別情報と一致しない場合に、情報送信部が無線情報受信部において受信された自己識別情報を出荷管理コンピュータ等に送信するようにしておけば、出荷管理担当者などは、出荷管理ミスを自動的に把握することができるようになる。
【００４７】
第１７発明に係る設備機器対応付け支援システムでは、サービスエンジニア等は、対応付けしたい設備機器を確実に特定することができる。
第１８発明に係る無線情報端末を利用すれば、複数の設備機器が集中制御される空調システムにおいて設備機器にリモコンが接続されない場合であっても、サービスエンジニア等は、天井裏などによじ登る必要はない。したがって、この無線情報端末を利用すれば、複数の設備機器が集中管理機器に接続されている空調システムにおいて、簡便に、集中管理機器に設備機器のアドレスと設備機器の設置場所とを対応付けて保存することができる。
【００４８】
第１９発明に係る設備機器対応付け支援システムでは、設備機器にリモコンが接続されない場合であっても、サービスエンジニア等は、天井裏などによじ登る必要はない。また、この設備機器対応付け支援システムでは、サービスエンジニア等は、任意のルートを通って設備機器の設置位置を巡回し、場合によっては全ての設備機器の設置位置を巡回し終えた後に集中管理機器に戻ればよい（情報対応付け保存手段が集中管理機器に設けられている場合、サービスエンジニア等は、集中管理機器に戻らなくてもよい）。したがって、この設備機器対応付け支援システムでは、複数の設備機器が集中管理機器に接続されている空調システムにおいて、サービスエンジニア等に大きな負担をかけることなく、簡便に、集中管理機器に設備機器のアドレスと設備機器の設置場所とを対応付けて保存することができる。
【００４９】
第２０発明に係る無線情報端末を利用すれば、複数の設備機器が集中制御される空調システムにおいて設備機器にリモコンが接続されない場合であっても、サービスエンジニア等は、天井裏などによじ登る必要はない。また、この無線情報端末を利用すれば、サービスエンジニア等は、任意のルートを通って設備機器の設置位置を巡回し、場合によっては全ての設備機器の設置位置を巡回し終えた後に集中管理機器に戻ればよい（所定の情報処理装置が集中管理機器である場合、サービスエンジニア等は、集中管理機器に戻らなくてもよい）。したがって、この無線情報端末を利用すれば、複数の設備機器が集中管理機器に接続されている空調システムにおいて、サービスエンジニア等は大きな負担を感じることなく、簡便に、集中管理機器に設備機器のアドレスと設備機器の設置場所とを対応付けて保存することができる。
【発明を実施するための最良の形態】
【００５０】
ここでは、先ず、図１〜図４の図面を参照しながら本発明の前提となる空調システム１について説明する。
〔空調システム〕
この空調システム１は、図１に示されるように、主に、マルチ式空調機２ａ，２ｂ，・・・および空調コントローラ３から構成されている。以下、これらの各構成要素について詳述する。
【００５１】
（１）マルチ式空調機
マルチ式空調機２ａ，２ｂ，・・・では、図１に示されるように、１台（複数台であってもよい）の室外機２１ａ，２１ｂ，・・・に対して複数台の室内機２０ａ，２０ｂ，２０ｃ，２０ｄ，・・・が冷媒配管（図示せず）および第１通信線２２ａ，２２ｂ，・・・を介して接続される。そして、この室内機２０ａ，２０ｂ，２０ｃ，２０ｄ，・・・は、室内熱交換器（図示せず）や、膨張弁（図示せず）、室内ファン（図示せず）、電装品ボックス２３（図２参照）などを備えている。この室内機２０ａ，２０ｂ，２０ｃ，２０ｄ，・・・では、室外機２１ａ，２１ｂ，・・・から室内熱交換器に流入する低温低圧の液冷媒あるいは高温高圧のガス冷媒と、室内ファンにより吸い込まれた室内空気などとの間で熱交換が行われ、熱交換後の室内空気などが室内ファンにより室内に供給される。このようにして、これらの室内機２０ａ，２０ｂ，２０ｃ，２０ｄ，・・・は、居室を冷房したり暖房したりする。また、電装品ボックス２３には、図２に示されるように、マイクロコンピュータ２４、第１ＥＥＰＲＯＭ２５、第１通信回路２６、およびＡ／Ｄコンバータ（アナログ／デジタルコンバータ）２９等が内蔵されている。マイクロコンピュータ２４は、バス線２７ａ，２７ｂ，２７ｃを介して第１ＥＥＰＲＯＭ２５、第１通信回路２６、およびＡ／Ｄコンバータ２９に接続されている。第１通信回路２６は、第１通信線２２ａ，２２ｂ，・・・を介して室外機２１ａ，２１ｂ，・・・および空調コントローラ３と通信接続されている。Ａ／Ｄコンバータ２９は、制御用通信線２８などを介して膨張弁や室内ファン等へ通信接続されている。
【００５２】
マイクロコンピュータ２４は図示しない第１制御部および第１演算部を有しており、第１制御部は第１ＥＥＰＲＯＭ２５に記憶されている制御プログラムに記述される命令や、室外機２１ａ，２１ｂ，・・・または空調コントローラ３から送信される制御信号に従って、膨張弁の開度を制御したり、室内ファンの回転数を制御したり、第１ＥＥＰＲＯＭ２５に記憶されている各種データ等を第１通信線２２ａ，２２ｂ，・・・を介して室外機２１ａ，２１ｂ，・・・や空調コントローラ３に送信したりする。また、第１演算部は、第１制御部の指示に従って、第１制御部、第１ＥＥＰＲＯＭ２５、または第１通信回路２６から必要なデータを取得して演算処理（例えば、算術演算処理や論理演算処理等）を行う。第１ＥＥＰＲＯＭ２５には、上述した制御プラグラムのみならず各室内機２０ａ，２０ｂ，２０ｃ，２０ｄ，・・・に固有の番号であるシリアル番号データ等が格納されている。
【００５３】
また、これらの室内機２０ａ，２０ｂ，２０ｃ，２０ｄ，・・・には、１台１台にＲＦＩＤタグ６ａ，６ｂ，６ｃ，６ｄ，・・・（後述）が付されている。
（２）空調コントローラ
空調コントローラ３は、マルチ式空調機２ａ，２ｂ，・・・の集中管理機器であって、図３に示されるように、主に、第２中央処理部３１、第２ＲＡＭ（Random Access Memory）３２、第２ＲＯＭ（Read Only Memory）３４、第２ＥＥＰＲＯＭ３５、第２Ｉ／Ｏ制御部３３、モデム用インターフェイス３７、空調機用インターフェイス３８、第２無線ＬＡＮインターフェイス３９、モデム４０、空調機用コネクタ４１、および第２無線送受信部４２から構成されている。ここで、第２中央処理部３１、第２ＲＡＭ３２、第２ＲＯＭ３４、第２ＥＥＰＲＯＭ３５、および第２Ｉ／Ｏ制御部３３は、例えば、マイクロコンピュータであって、相互に第１バス線３６によって接続されており、１つの集積回路を構成している。また、モデム用インターフェイス３７、空調機用インターフェイス３８、および第２無線ＬＡＮインターフェイス３９は、例えば、プリント回路基板等であって、第２バス線４３ａ，４３ｂ，４３ｃを介して第２Ｉ／Ｏ制御部３３に接続されている。また、モデム４０は、第１通信線４４を介してモデム用インターフェイス３７に接続されている。また、空調機用コネクタ４１は、第２通信線４５を介して空調機用インターフェイス３８に接続されている。また、第２無線送受信部４２は、第３通信線４６を介して第２無線ＬＡＮインターフェイス３９に接続されている。
【００５４】
第２中央処理部３１は、主に、第２制御部３１Ａおよび第２演算部３１Ｂを有する。第２制御部３１Ａは、図４に示されるように、第２ＲＯＭ３４に記憶されている空調管理プログラムを読み込み（Ｆｄ６参照）、読み込んだ空調管理プログラムに従って第２演算部３１Ｂ、第２ＲＡＭ３２、第２ＲＯＭ３４、第２ＥＥＰＲＯＭ３５、または第２Ｉ／Ｏ制御部３３に動作を指示する（Ｆｃ１〜Ｆｃ４参照）。第２演算部３１Ｂは、図４に示されるように、第２制御部３１Ａの指示に従って第２制御部３１Ａ、第２ＲＡＭ３２、第２ＲＯＭ３４、または第２ＥＥＰＲＯＭ３５から必要なデータを取得して（Ｆｄ１、Ｆｄ４、およびＦｄ７参照）演算処理（例えば、算術演算処理や論理演算処理等）を行う。また、この第２演算部３１Ｂは、第２制御部３１Ａの指示に従って、演算処理の処理結果データを第２制御部３１Ａに供給することができる（Ｆｄ２参照）。また、この第２演算部３１Ｂは、第２制御部３１Ａの指示に従って、演算処理の処理結果データを第２ＲＡＭ３２や第２ＥＥＰＲＯＭ３５に書き込むことができる（Ｆｄ３参照）。
【００５５】
第２ＲＡＭ３２は、図４に示されるように、第２制御部３１Ａの指示に従って、各種データを第２制御部３１Ａに供給することができる（Ｆｄ５参照）。また、この第２ＲＡＭ３２は、各種データを第２Ｉ／Ｏ制御部３３から取得して（Ｆｄ９参照）一時記憶したり、第２演算部３１Ｂから送信されるデータ（Ｆｄ３参照）を一時記憶したりする。また、この第２ＲＡＭ３２は、第２制御部３１Ａの指示に応じて一時記憶しているデータを第２Ｉ／Ｏ制御部３３に送信する（Ｆｄ８参照）。
【００５６】
第２ＲＯＭ３４は、空調管理プログラムや各種データを格納している。そして、この第２ＲＯＭ３４は、図４に示されるように、第２制御部３１Ａの指示に従って、それらを第２制御部３１Ａに供給する（Ｆｄ６参照）。また、この第２ＲＯＭ３４は、第２制御部３１Ａの指示に従って、各種データを第２演算部３１Ｂに供給することができる（Ｆｄ７参照）。
【００５７】
第２ＥＥＰＲＯＭ３５は、電気的に書き換え可能なＲＯＭであり、室内機２０ａ，２０ｂ，２０ｃ，２０ｄ，・・・のシリアル番号データ、室内機２０ａ，２０ｂ，２０ｃ，２０ｄ，・・・の設置位置データ、マルチ式空調機２ａ，２ｂ，・・・の監視データなどを記憶する。なお、本実施の形態では、室内機２０ａ，２０ｂ，２０ｃ，２０ｄ，・・・のシリアル番号データおよび設置位置データは、後述するポケットコンピュータから、対応付けされたかたちで第２ＥＥＰＲＯＭ３５に提供される。
【００５８】
第２Ｉ／Ｏ制御部３３は、モデム４０に着信するデータや、マルチ式空調機２ａ，２ｂ，・・・から送信されてくるデータ、後述するポケットコンピュータから送信されるデータ等を第２ＲＡＭ３２へ入力したり（Ｆｄ９参照）、第２ＲＡＭ３２に記憶されている各種データや制御信号などをマルチ式空調機２ａ，２ｂ，・・・に送信したりする。
モデム用インターフェイス３７、空調機用インターフェイス３８、および第２無線ＬＡＮインターフェイス３９は、通信線４４，４５，４６を介してモデム４０、空調機用コネクタ４１、および第２無線送受信部４２に接続されており、モデム４０に着信するデータや、マルチ式空調機２ａ，２ｂ，・・・から送信されてくるデータ、後述するポケットコンピュータから送信されるデータ等を受信すると同時にそれらのデータを第２中央処理部３１が処理可能な形式に変換したり、第２Ｉ／Ｏ制御部３３からモデム４０やマルチ式空調機２ａ，２ｂ，・・・に出力されるデータおよび制御信号などを、モデム４０や、マルチ式空調機２ａ，２ｂ，・・・が処理可能な形式に変換したりする。
【００５９】
モデム４０は、第２制御部３１Ａの指示に従って、第２ＥＥＰＲＯＭ３５に格納されるマルチ式空調機２ａ，２ｂ，・・・に関する各種データを、３０分時限おきに、公衆電話回線５を介して遠隔監視サーバ４Ａに送信している。また、このモデム４０は、第２演算部３１Ｂにおいてマルチ式空調機２ａ，２ｂ，・・・に異常が発生したと判定された場合、第２制御部３１Ａの指示に従って異常識別コード（マルチ式空調機２ａ，２ｂ，・・・から送信されてくる）、マルチ式空調機２ａ，２ｂ，・・・の機種番号や機種名などのデータ、および顧客ＩＤデータなどとともに即座に公衆電話回線５を介して遠隔監視サーバ４Ａに送信する。また、このモデム４０は、サービスエンジニア等の要求により、出荷管理サーバ４Ｂから、出荷済み室内機２０ａ，２０ｂ，２０ｃ，２０ｄ，・・・のシリアル番号リストデータをダウンロードすることができる。
【００６０】
空調機用コネクタ４１には、図３に示されるように、第８通信線３０を介してマルチ式空調機２ａ，２ｂ，・・・の室外機２１ａ，２０ｂ，・・・が接続される。
第２無線送受信部４２は、後述するポケットコンピュータから無線発信される室内機２０ａ，２０ｂ，２０ｃ，２０ｄ，・・・のシリアル番号データや設置位置データ等を受信したり、後述するポケットコンピュータへ出荷済み室内機２０ａ，２０ｂ，２０ｃ，２０ｄ，・・・のシリアル番号リストデータ等を無線送信したりする。
【００６１】
なお、この空調コントローラ３には、図示しないイーサネットケーブル接続口が設けられている。このため、この空調コントローラ３は、図示しないパーソナルコンピュータ等を接続可能である。そして、この空調コントローラ３の第２ＥＥＰＲＯＭ３５に格納される各種データは、イーサネットケーブル接続口に接続されるパーソナルコンピュータ等を介して閲覧可能である。
【００６２】
〔室内機対応付け支援ツール〕
ここでは、図５〜図８の図面を参照しながら本発明の実施の形態に係る室内機対応付け支援ツールについて説明する。本実施形態では、室内機対応付け支援ツールとして、上記マルチ式空調機２ａ，２ｂ，・・・の室内機２０ａ，２０ｂ，２０ｃ，２０ｄ，・・・に付されるＲＦＩＤ（Radio Frequency IDentification）タグ６ａ，６ｂ，６ｃ，６ｄ，・・・と、ＲＦＩＤタグ６ａ，６ｂ，６ｃ，６ｄ，・・・からデータを読み取る機能を有するポケットコンピュータ７とが採用される。以下、本実施の形態において採用されるＲＦＩＤタグおよびポケットコンピュータ７について詳述する。なお、本実施の形態では、ＲＦＩＤタグ６ａ，６ｂ，６ｃ，６ｄ，・・・とポケットコンピュータ７とを合わせて室内機対応付け支援システムという。
【００６３】
（１）ＲＦＩＤタグ
本実施の形態に係るＲＦＩＤタグ６ａ，６ｂ，６ｃ，６ｄ，・・・は、不揮発性メモリ６３、第２通信回路６２、およびアンテナコイル６１を備える。不揮発性メモリ６３には、付されている室内機２０ａ，２０ｂ，２０ｃ，２０ｄ，・・・のシリアル番号データが保持されている。アンテナコイル６１は、ポケットコンピュータ７から特定周波数の電波または電磁波を受信すると、その電波または電磁波を利用して発電を行う。そして、第２通信回路６２は、アンテナコイル６１において発電された電力を利用して不揮発性メモリ６３に保持されるシリアル番号データを発信する。
【００６４】
（２）ポケットコンピュータ
本実施の形態に係るポケットコンピュータ７は、図６および図７に示されるように、主に、ケーシング７０、ＲＦＩＤタグデータ読み取りアダプタ８３、タッチパネル式ディスプレイ８２、入力キー群８１、第３中央処理部７１、第３ＲＡＭ（Random Access Memory）７２、第３ＲＯＭ（Read Only Memory）７４、第３ＥＥＰＲＯＭ７５、第３Ｉ／Ｏ制御部７３、入力インターフェイス７７、ディスプレイアダプタ７８、コンパクトフラッシュ（ＣＦ）（登録商標）コントローラ７９、第３無線ＬＡＮインターフェイス８０、および第３無線送受信部８４から構成される。
【００６５】
ここで、第３中央処理部７１、第３ＲＡＭ７２、第３ＲＯＭ７４、第３ＥＥＰＲＯＭ７５、および第３Ｉ／Ｏ制御部７３は、相互に第３バス線７６によって接続されており、１つの集積回路を構成している。また、入力インターフェイス７７、ディスプレイアダプタ７８、ＣＦコントローラ７９、および第３無線ＬＡＮインターフェイス８０は、例えば、プリント回路基板等であって、第４バス線８５ａ，８５ｂ，８５ｃ，８５ｄを介して第３Ｉ／Ｏ制御部７３に接続されている。また、入力キー群８１は、第４通信線８６を介して入力インターフェイス７７に接続されている。また、タッチパネル式ディスプレイ８２は、第５通信線８７を介してディスプレイアダプタ７８に接続されている。また、ＲＦＩＤタグデータ読み取りアダプタ８３は、コンパクトフラッシュ型のアダプタであって、図示しないＣＦスロットに挿入されており、ＣＦスロットに設けられるＣＦコネクタを介してＣＦコントローラ７９に接続されている。また、第３無線送受信部８４は、第７通信線８９を介して第３無線ＬＡＮインターフェイス８０に接続されている。
【００６６】
第３中央処理部７１は、主に、第３制御部７１Ａおよび第３演算部７１Ｂを有する。第３制御部７１Ａは、図８に示されるように、第３ＲＯＭ７４に記憶されている種々のプログラム（例えば、オペレーティングシステム、デバイスドライバ、無線ＬＡＮ接続プログラム、ＲＦＩＤタグデータ読み取りプログラム、室内機バインディングプログラム等）を読み込み（Ｆｄ６参照）、読み込んだプログラムに従って第３演算部７１Ｂ、第３ＲＡＭ７２、第３ＲＯＭ７４、第３ＥＥＰＲＯＭ７５、または第３Ｉ／Ｏ制御部７３に動作を指示する（Ｆｃ１〜Ｆｃ４参照）。第３演算部７１Ｂは、図８に示されるように、第３制御部７１Ａの指示に従って第３制御部７１Ａ、第３ＲＡＭ７２、第３ＲＯＭ７４、または第３ＥＥＰＲＯＭ７５から必要なデータを取得して（Ｆｄ１、Ｆｄ４、およびＦｄ７参照）演算処理（例えば、算術演算処理や論理演算処理等）を行う。また、この第３演算部７１Ｂは、第３制御部７１Ａの指示に従って、演算処理の処理結果データを第３制御部７１Ａに供給することができる（Ｆｄ２参照）。また、この第３演算部７１Ｂは、第３制御部７１Ａの指示に従って、演算処理の処理結果データを第３ＲＡＭ７２や第３ＥＥＰＲＯＭ７５に書き込むことができる（Ｆｄ３参照）。
【００６７】
第３ＲＡＭ７２は、図８に示されるように、第３制御部７１Ａの指示に従って、各種データを第３制御部７１Ａに供給することができる（Ｆｄ５参照）。また、この第３ＲＡＭ７２は、各種データを第３Ｉ／Ｏ制御部７３から取得して（Ｆｄ９参照）一時記憶したり、第３演算部７１Ｂから送信されるデータ（Ｆｄ３参照）を一時記憶したりする。また、この第３ＲＡＭ７２は、第３制御部７１Ａの指示に応じて一時記憶しているデータを第３Ｉ／Ｏ制御部７３に送信する（Ｆｄ８参照）。
【００６８】
第３ＲＯＭ７４は、上述した各種プログラムや種々のデータを格納している。そして、この第３ＲＯＭ７４は、図８に示されるように、第３制御部７１Ａの指示に従って、それらを第３制御部７１Ａに供給する（Ｆｄ６参照）。また、この第３ＲＯＭ７４は、第３制御部７１Ａの指示に従って、各種データ等を第３演算部７１Ｂに供給することができる（Ｆｄ７参照）。
【００６９】
第３ＥＥＰＲＯＭ７５は、電気的に書き換え可能なＲＯＭであり、本実施の形態では主に室内機２０ａ，２０ｂ，２０ｃ，２０ｄ，・・・の設置位置データや、室内機２０ａ，２０ｂ，２０ｃ，２０ｄ，・・・のシリアル番号データ等を記憶する。
第３Ｉ／Ｏ制御部７３は、入力キー群８１やタッチパネル式ディスプレイ８２から入力されるデータや、ＲＦＩＤタグデータ読み取りアダプタ８３から供給される室内機２０ａ，２０ｂ，２０ｃ，２０ｄ，・・・のシリアル番号データ、第３無線送受信部８４から送信される各種データ等を第３ＲＡＭ７２へ入力したり（Ｆｄ９参照）、第３ＲＡＭ７２に記憶されている各種データや制御信号などを、ＲＦＩＤタグデータ読み取りアダプタ８３や、第３無線送受信部８４、およびタッチパネル式ディスプレイ８２に送信したりする。
【００７０】
入力インターフェイス７７は、第４通信線８６を介して入力キー群８１に接続されており、入力キー群８１から入力されるデータを受信すると同時にそれらのデータを第３中央処理部７１が処理可能な形式に変換する。
ディスプレイアダプタ７８は、第５通信線８７を介してタッチパネル式ディスプレイ８２に接続されており、タッチパネル式ディスプレイ８２から入力されるデータを受信すると同時にそれらのデータを第３中央処理部７１が処理可能な形式に変換したり、第３Ｉ／Ｏ制御部７３からタッチパネル式ディスプレイ８２に出力されるデータおよび制御信号などをタッチパネル式ディスプレイ８２が処理可能な形式に変換したりする。
【００７１】
ＣＦコントローラ７９は、第６通信線８８およびＣＦコネクタを介してＲＦＩＤタグデータ読み取りアダプタ８３に接続されており、ＲＦＩＤタグ６ａ，６ｂ，６ｃ，６ｄ，・・・から発信されるシリアル番号データを受信したり、第３Ｉ／Ｏ制御部７３からＲＦＩＤタグデータ読み取りアダプタ８３に出力される制御信号などをＲＦＩＤタグデータ読み取りアダプタ８３に送信したりする。
【００７２】
第３無線ＬＡＮインターフェイス８０は、第７通信線８９を介して第３無線送受信部８４に接続されており、第３無線送受信部８４から送信される各種データ等を受信すると同時にそれらのデータを第３中央処理部７１が処理可能な形式に変換したり、第３Ｉ／Ｏ制御部７３から第３無線送受信部８４に出力されるデータおよび制御信号などを第３無線送受信部８４が処理可能な形式に変換したりする。
【００７３】
第３無線送受信部８４は、空調コントローラ３から無線発信される出荷済み室内機２０ａ，２０ｂ，２０ｃ，２０ｄ，・・・のシリアル番号リストデータ等を受信したり、室内機２０ａ，２０ｂ，・・・の設置位置データとの対応付けが完了したシリアル番号データ等を空調コントローラ３に無線送信したりする。
タッチパネル式ディスプレイ８２は、スタイラスペン９０や指などで押圧されると、第３中央処理部７１と共同して、押圧された位置に対応した入力を受け付ける。
【００７４】
ＲＦＩＤタグデータ読み取りアダプタ８３にはアンテナ８３ａが設けられており、このＲＦＩＤタグデータ読み取りアダプタ８３は、サービスエンジニア等による入力キー群８１の操作やタッチパネル式ディスプレイ８２における入力操作によって、このアンテナ８３ａから、各室内機２０ａ，２０ｂ，２０ｃ，２０ｄ，・・・に付されているＲＦＩＤタグ６ａ，６ｂ，６ｃ，６ｄ，・・・に発電させるために必要な特定周波数の電波または電磁波を発信することが可能になっている。また、このＲＦＩＤタグデータ読み取りアダプタ８３は、ＲＦＩＤタグ６ａ，６ｂ，６ｃ，６ｄ，・・・から発信される室内機２０ａ，２０ｂ，２０ｃ，２０ｄ，・・・のシリアル番号データをアンテナ８３ａにより受信することが可能となっている。なお、このＲＦＩＤタグデータ読み取りアダプタ８３の通信範囲は、一度に２つ以上のシリアル番号データを読まないように制限される必要がある。このような制限は、通常、ＲＦＩＤタグ６ａ，６ｂ，６ｃ，６ｄ，・・・の通信方式の選択により行われる。
【００７５】
〔サービスエンジニア等による室内機のシリアル番号データと設置位置データとの対応付け作業の準備〕
サービスエンジニア等は、室内機２０ａ，２０ｂ，２０ｃ，２０ｄ，・・・のシリアル番号データと設置位置データとの対応付け作業を開始する前に下記の準備を行う。なお、下記に列挙される準備項目の実施順序については特に制約はなくサービスエンジニア等が任意に決めることができる。
【００７６】
（１）室内機のシリアル番号リストデータのダウンロードとポケットコンピュータへの書き込み
サービスエンジニア等は、空調コントローラ３を操作して出荷管理サーバ４Ｂから、対応する建物に出荷された室内機２０ａ，２０ｂ，２０ｃ，２０ｄ，・・・のシリアル番号リストデータをダウンロードする。そして、サービスエンジニア等は、空調コントローラ３およびポケットコンピュータ７を操作して、空調コントローラ３とポケットコンピュータ７と無線通信接続し、空調コントローラ３にダウンロードしたシリアル番号リストデータをポケットコンピュータ７へ書き込む。
【００７７】
（２）設置位置データのポケットコンピュータへの書き込み
サービスエンジニア等は、建物の設計図面などを参照して室内機２０ａ，２０ｂ，２０ｃ，２０ｄ，・・・の設置位置を確認しながら、ディスクトップ型パーソナルコンピュータやノート型パーソナルコンピュータ等に、室内機２０ａ，２０ｂ，２０ｃ，２０ｄ，・・・の設置位置データを入力していく。そして、サービスエンジニア等は、完成した設置位置データを、無線ＬＡＮを利用してポケットコンピュータ７にダウンロードする。なお、このダウンロードは、空調コントローラ３を介して行われてもかまわない。
【００７８】
〔サービスエンジニア等による室内機のシリアル番号データと設置位置データとの対応付け作業〕
サービスエンジニア等は、室内機２０ａ，２０ｂ，２０ｃ，２０ｄ，・・・のシリアル番号データと設置位置データとの対応付け作業を開始するに当たって、先ず、任意の室内機２０ａ，２０ｂ，２０ｃ，２０ｄ，・・・へ赴き、その室内機２０ａ，２０ｂ，２０ｃ，２０ｄ，・・・の設置位置を確認し、スタイラスペン９０を利用してポケットコンピュータ７のタッチパネル式ディスプレイ８２に表示される設置位置データのうちその設置位置に該当する設置位置データを選択するか、あるいはスタイラスペン９０を利用してポケットコンピュータ７のタッチパネル式ディスプレイ８２に列挙される設置位置データのうち対応付けをしたい室内機２０ａ，２０ｂ，２０ｃ，２０ｄ，・・・に対応する設置位置データを選択した後に、その室内機２０ａ，２０ｂ，２０ｃ，２０ｄ，・・・の設置位置へ赴く。
【００７９】
なお、ポケットコンピュータ７のタッチパネル式ディスプレイ８２では、設置位置データは図６に示されるように文字データ１０１として表示され、文字データ１０１上には室内機アイコン１０２が併せて表示される（例えば、向かって左斜め上の室内機の設置位置データは「１階事務所−居室Ａ−空調東」となり、向かって右斜め下の室内機の設置位置データは「１階事務所−会議室」となる）。ここで、設置位置データの選択は、室内機アイコン１０２をスタイラスペン９０で選択することにより行われる。なお、室内機アイコン１０２がスタイラスペン９０により選択されると、その色が黄色から緑色に変化する。さらに、本実施の形態では、この文字データ１０１と室内機アイコン１０２とが、地図データ１０３上に表示される。なお、この地図データ１０３は、本実施の形態では１階事務所と２階事務所とに区切られて用意されており、符号１０４で示される２つの第１コマンドボタンのうちいずれかをスタイラスペン９０で選択することにより１階事務所および２階事務所の地図データ１０３の表示を切り替えられるようになっている。また、タッチパネル式ディスプレイ８２上にはメッセージボックス１０５が表示されており、メッセージボックス１０５には、対応する画面の名称が表示されるようになっている。
【００８０】
次に、サービスエンジニア等は、ポケットコンピュータ７を、室内機２０ａ，２０ｂ，２０ｃ，２０ｄ，・・・に付されるＲＦＩＤタグ６ａ，６ｂ，６ｃ，６ｄ，・・・と通信可能な範囲まで近づけ、入力キー群８１の特定のキーを押す。すると、ＲＦＩＤタグデータ読み取りアダプタ８３のアンテナ８３ａから特定周波数の電波または電磁波が発信される。そして、ＲＦＩＤタグ６ａ，６ｂ，６ｃ，６ｄ，・・・がこの特定周波数の電波または電磁波を受信すると、ＲＦＩＤタグ６ａ，６ｂ，６ｃ，６ｄ，・・・では、アンテナコイル６１においてその電波または電磁波を利用した発電が行われ、第２通信回路６２がその電力を利用して不揮発性メモリ６３に保持されるシリアル番号データを発信する。そして、ＲＦＩＤタグ６ａ，６ｂ，６ｃ，６ｄ，・・・から発信されたシリアル番号データは、ＲＦＩＤタグデータ読み取りアダプタ８３によって受信される。ＲＦＩＤタグデータ読み取りアダプタ８３によって受信されたシリアル番号データは、第３制御部７１Ａの指示に従って、ＣＦコントローラ７９および第３Ｉ／Ｏ制御部７３を介して第３ＲＡＭ７２に送信されて一時的に記憶される。続いて、第３演算部７１Ｂが、第３制御部７１Ａの指示に従って、第３ＲＡＭ７２に一時的に記憶されているシリアル番号データを、タッチパネル式ディスプレイ８２上で選択されている室内機アイコン１０２に対応する文字データ１０１（つまり、設置位置データ）と対応付ける（例えば、同じＩＤ番号データを付す等が考えられる）。この後、第３演算部７１Ｂは、第３制御部７１Ａの指示に従って、文字データ１０１と対応付けられたシリアル番号データを第３ＥＥＰＲＯＭ７５に格納する。なお、文字データ１０１がシリアル番号データと対応付けられて第３ＥＥＰＲＯＭ７５に格納されると、ポケットコンピュータ７のタッチパネル式ディスプレイ８２上で、その文字データ１０１に対応する室内機アイコン１０２の色が緑色から青色に変化する（図９参照）。なお、この一連の情報処理の流れは、上述した室内機バインディングプログラムの実行によって実現されている。
【００８１】
サービスエンジニア等は、上記の作業を全ての室内機２０ａ，２０ｂ，２０ｃ，２０ｄ，・・・について行う。
サービスエンジニア等は、全ての室内機２０ａ，２０ｂ，２０ｃ，２０ｄ，・・・について上記の対応付け作業が完了すると、空調コントローラ３に戻り、無線ＬＡＮを利用してポケットコンピュータ７から、互いに対応付けられたシリアル番号データと設置位置データとを空調コントローラ３に転送する。すると、空調コントローラ３は、互いに対応付けられたシリアル番号データと設置位置データとを第２ＥＥＰＲＯＭ３５に格納する。
【００８２】
〔室内機バインディングプログラムのチェック・ガイダンスルーチン〕
ポケットコンピュータ７の第３ＲＯＭ７４に格納される室内機バインディングプログラムには、上記の対応付け作業を円滑に進めるための種々のチェック・ガイダンスルーチンが記述されている。以下、このチェック・ガイダンスルーチンについて説明する。
（１）重複取得チェック・ガイダンスルーチン
図１０には、重複取得チェック・ガイダンスルーチンの流れを表すフローチャートを示す。
【００８３】
図１０において、ステップＳ１では、ＲＦＩＤタグデータ読み取りアダプタ８３が、第３制御部７１Ａの指示に従って、ＲＦＩＤタグ６ａ，６ｂ，６ｃ，６ｄ，・・・から発信されたシリアル番号データを受信する。
ステップＳ２では、第３演算部７１Ｂが、第３制御部７１Ａの指示に従って、「ステップＳ１で受信したシリアル番号データが、第３ＥＥＰＲＯＭ７５に格納されているシリアル番号データのいずれかと一致するか」を判定する。ステップＳ２の第３演算部７１Ｂの判定の結果、「ステップＳ１で受信したシリアル番号データが、第３ＥＥＰＲＯＭ７５に格納されているシリアル番号データのいずれかと一致する」場合、処理はステップＳ３に移る。ステップＳ２の第３演算部７１Ｂの判定の結果、「ステップＳ１で受信したシリアル番号データが、第３ＥＥＰＲＯＭ７５に格納されているシリアル番号データのいずれとも一致しない」場合、処理はルーチンＲ１（対応付け処理）に移る。なお、ここで、対応付け処理とは、〔サービスエンジニア等による室内機のシリアル番号データと設置位置データとの対応付け作業〕の欄で述べた一連の情報処理のことである。
【００８４】
ステップＳ３では、タッチパネル式ディスプレイ８２が、第３制御部７１Ａの指示に従って、ステップＳ１で受信したシリアル番号データに対応する室内機アイコン１０２、および第３ＥＥＰＲＯＭ７５に既に格納されているステップＳ１で受信したシリアル番号データと同一のシリアル番号データに対応する室内機アイコン１０２の両方を点滅表示させる（図１１参照）。
【００８５】
ステップＳ４では、タッチパネル式ディスプレイ８２が、第３制御部７１Ａの指示に従って、メッセージボックス１０５に警告メッセージを表示する（図１１参照）。
ステップＳ５では、図示しないスピーカが、第３制御部７１Ａの指示に従って、警告音を発する。
（２）取得漏れチェック・ガイダンスルーチン
図１２には、取得漏れチェック・ガイダンスルーチンの流れを表すフローチャートを示す。なお、この取得漏れチェック・ガイダンスルーチンは、タッチパネル式ディスプレイ８２に表示される完了コマンドボタン１０６がスタイラスペン９０によって選択されることにより実行される。
【００８６】
図１２において、ステップＳ１１では、第３演算部７１Ｂが、第３制御部７１Ａの指示に従って、シリアル番号データと対応付けされていない設置位置データが第３ＥＥＰＲＯＭ７５に存在するか否かについて判定する。ステップＳ１１の第３演算部７１Ｂの判定の結果、シリアル番号データと対応付けされていない設置位置データが第３ＥＥＰＲＯＭ７５に存在する場合、処理はステップＳ１２に移る。ステップＳ１１の第３演算部７１Ｂの判定の結果、シリアル番号データと対応付けされていない設置位置データが第３ＥＥＰＲＯＭ７５に存在しない場合、処理は終了する。
【００８７】
ステップＳ１２では、タッチパネル式ディスプレイ８２が、第３制御部７１Ａの指示に従って、シリアル番号データと対応付けされていない設置位置データに対応する室内機アイコン１０２を点滅表示させる（図１３参照）。
ステップＳ１３では、タッチパネル式ディスプレイ８２が、第３制御部７１Ａの指示に従って、メッセージボックス１０５に警告メッセージを表示する（図１３参照）。
【００８８】
ステップＳ１４では、図示しないスピーカが、第３制御部７１Ａの指示に従って、警告音を発する。
（３）出荷記録整合チェック・ガイダンスルーチン
図１４には、出荷記録整合チェック・ガイダンスルーチンの流れを表すフローチャートを示す。
【００８９】
図１４において、ステップＳ２１では、ＲＦＩＤタグデータ読み取りアダプタ８３が、第３制御部７１Ａの指示に従って、ＲＦＩＤタグ６ａ，６ｂ，６ｃ，６ｄ，・・・から発信されたシリアル番号データを受信する。
ステップＳ２２では、第３演算部７１Ｂが、第３制御部７１Ａの指示に従って、「ステップＳ２１で受信したシリアル番号データが、第３ＥＥＰＲＯＭ７５に格納されているシリアル番号リストデータに列記されるシリアル番号データのいずれかと一致するか」を判定する。ステップＳ２２の第３演算部７１Ｂの判定の結果、「ステップＳ２１で受信したシリアル番号データが、第３ＥＥＰＲＯＭ７５に格納されているシリアル番号リストデータに列記されるシリアル番号データのいずれかと一致する」場合、処理はルーチンＲ１（対応付け処理）に移る。ステップＳ２２の第３演算部７１Ｂの判定の結果、「ステップＳ２１で受信したシリアル番号データが、第３ＥＥＰＲＯＭ７５に格納されているシリアル番号リストデータに列記されるシリアル番号データのいずれとも一致しない」場合、処理はステップＳ２３に移る。なお、ここで、対応付け処理とは、〔サービスエンジニア等による室内機のシリアル番号データと設置位置データとの対応付け作業〕の欄で述べた一連の情報処理のことである。
【００９０】
ステップＳ２３では、タッチパネル式ディスプレイ８２が、第３制御部７１Ａの指示に従って、ポケットコンピュータ７上で選択されている室内機アイコン１０２を点滅表示させる（図１５参照）。
ステップＳ２４では、タッチパネル式ディスプレイ８２が、第３制御部７１Ａの指示に従って、メッセージボックス１０５に警告メッセージを表示する（図１６参照）。なお、このとき、メッセージボックス１０５には、「出荷予定品と異なる商品が納入されています」というメッセージや受信したシリアル番号データ等が表示される。
【００９１】
ステップＳ２５では、タッチパネル式ディスプレイ８２が、第３制御部７１Ａの指示に従って、警告ダイアログ１０７を表示する（図１６参照）。
ステップＳ２６では、図示しないスピーカが、第３制御部７１Ａの指示に従って、警告音を発する。
ステップＳ２７では、第３演算部７１Ｂが、第３制御部７１Ａの指示に従って、「ステップＳ２１で受信したシリアル番号データの上位３桁の識別データが、第３ＥＥＰＲＯＭ７５に格納されているシリアル番号リストデータに列記されるいずれかのシリアル番号データの上位３桁の識別データと一致するか」を判定する。ステップＳ２７の第３演算部７１Ｂの判定の結果、「ステップＳ２１で受信したシリアル番号データの上位３桁の識別データが、第３ＥＥＰＲＯＭ７５に格納されているシリアル番号リストデータに列記されるいずれかのシリアル番号データの上位３桁の識別データと一致する」場合、処理は終了する。ステップＳ２７の第３演算部７１Ｂの判定の結果、「ステップＳ２１で受信したシリアル番号データの上位３桁の識別データが、第３ＥＥＰＲＯＭ７５に格納されているシリアル番号リストデータに列記されるいずれのシリアル番号データの上位３桁の識別データとも一致しない」場合、処理はステップＳ２８に移る。なお、本実施の形態において、シリアル番号データの上位３桁の識別データは、室内機の基本仕様を表している。
【００９２】
ステップＳ２８では、タッチパネル式ディスプレイ８２が、第３制御部７１Ａの指示に従って、メッセージボックス１０５に警告メッセージを表示する（図１６参照）。なお、このとき、メッセージボックス１０５には、「この商品は出荷予定品と基本仕様が異なります」というメッセージ等が表示される。
ステップＳ２９では、タッチパネル式ディスプレイ８２が、第３制御部７１Ａの指示に従って、警告ダイアログ１０７を表示する（図１６参照）。
ステップＳ３０では、図示しないスピーカが、第３制御部７１Ａの指示に従って、警告音を発する。
【００９３】
〔空調コントローラによる通信専用アドレスの付与〕
図１７には、空調コントローラによる通信専用アドレスの付与の流れを表すフローチャートを示す。
【００９４】
図１７において、ステップＳ３１では、第２ＲＡＭ３２が、第２制御部３１Ａの指示に従って、第２ＥＥＰＲＯＭ３５からシリアル番号データを読み込む。
ステップＳ３２では、第２演算部３１Ｂが、第２制御部３１Ａの指示に従って、第２ＲＡＭ３２からシリアル番号データを読み込み、シリアル番号データそれぞれに対してランダムに固有の通信専用アドレスを付与し、それらのデータを第２ＲＡＭ３２に書き込む。
【００９５】
ステップＳ３３では、第２Ｉ／Ｏ制御部３３が、第２制御部３１Ａの指示に従って、第２ＲＡＭ３２に書き込まれているシリアル番号データと、そのシリアル番号データそれぞれに付与されている通信専用アドレスとを、第８通信線３０を介して各シリアル番号データに対応する室内機２０ａ，２０ｂ，２０ｃ，２０ｄ，・・・それぞれに対して送信する。
【００９６】
ステップＳ３４では、各室内機２０ａ，２０ｂ，２０ｃ，２０ｄ，・・・において、第１通信回路２６が、第１制御部の指示に従って、空調コントローラ３から送信されてきたシリアル番号データと通信専用アドレスとを受信する。
ステップＳ３５では、第１演算部が、第１制御部の指示に従って、空調コントローラ３から送信されてきたシリアル番号データと、第１ＥＥＰＲＯＭ２５に格納されているシリアル番号データとが一致するかを判定する。ステップＳ３５の第１演算部の判定の結果、空調コントローラ３から送信されてきたシリアル番号データと、第１ＥＥＰＲＯＭ２５に格納されているシリアル番号データとが一致する場合、処理はステップＳ３６に移る。ステップＳ３５の第１演算部の判定の結果、空調コントローラ３から送信されてきたシリアル番号データと、第１ＥＥＰＲＯＭ２５に格納されているシリアル番号データとが一致しない場合、処理はステップＳ３７に移る。
【００９７】
ステップＳ３６では、第１制御部が、通信専用アドレスを第１ＥＥＰＲＯＭ２５に書き込む。
ステップＳ３７では、第１制御部が、通信専用アドレスを破棄する（第１ＥＥＰＲＯＭ２５に書き込まずに放置する）。
なお、本実施の形態では、上記の処理が全てのシリアル番号データについて完了するまで繰り返される。
【００９８】
〔室内機対応付け支援ツールの特徴〕
（１）
本実施の形態に係る室内機対応付け支援システムでは、サービスエンジニア等は、スタイラスペン９０を利用してポケットコンピュータ７のタッチパネル式ディスプレイ８２に表示される設置位置データのうちその設置位置に該当する設置位置データを選択した状態で、ポケットコンピュータ７を、室内機２０ａ，２０ｂ，２０ｃ，２０ｄ，・・・に付されるＲＦＩＤタグ６ａ，６ｂ，６ｃ，６ｄ，・・・と通信可能な範囲まで近づけ、入力キー群８１の特定のキーを押す。すると、ＲＦＩＤタグデータ読み取りアダプタ８３のアンテナ８３ａから特定周波数の電波または電磁波が発信される。そして、ＲＦＩＤタグ６ａ，６ｂ，６ｃ，６ｄ，・・・がこの特定周波数の電波または電磁波を受信すると、ＲＦＩＤタグ６ａ，６ｂ，６ｃ，６ｄ，・・・では、アンテナコイル６１においてその電波または電磁波を利用した発電が行われ、第２通信回路６２がその電力を利用して不揮発性メモリ６３に保持されるシリアル番号データを発信する。そして、ＲＦＩＤタグ６ａ，６ｂ，６ｃ，６ｄ，・・・から発信されたシリアル番号データは、ＲＦＩＤタグデータ読み取りアダプタ８３によって受信される。ＲＦＩＤタグデータ読み取りアダプタ８３によって受信されたシリアル番号データは、第３制御部７１Ａの指示に従って、ＣＦコントローラ７９および第３Ｉ／Ｏ制御部７３を介して第３ＲＡＭ７２に送信されて一時的に記憶される。続いて、第３演算部７１Ｂが、第３制御部７１Ａの指示に従って、第３ＲＡＭ７２に一時的に記憶されているシリアル番号データを、タッチパネル式ディスプレイ８２上で選択されている室内機アイコン１０２に対応する文字データ１０１（つまり、設置位置データ）と対応付ける（例えば、同じＩＤ番号データを付す等が考えられる）。この後、第３演算部７１Ｂは、第３制御部７１Ａの指示に従って、文字データ１０１と対応付けられたシリアル番号データを第３ＥＥＰＲＯＭ７５に格納する。そして、サービスエンジニア等は、上記の作業を全ての室内機２０ａ，２０ｂ，２０ｃ，２０ｄ，・・・について行う。そして、サービスエンジニア等は、全ての室内機２０ａ，２０ｂ，２０ｃ，２０ｄ，・・・について上記の対応付け作業が完了すると、空調コントローラ３に戻り、無線ＬＡＮを利用してポケットコンピュータ７から、互いに対応付けられたシリアル番号データと設置位置データとを空調コントローラ３に転送する。すると、空調コントローラ３は、互いに対応付けられたシリアル番号データと設置位置データとを第２ＥＥＰＲＯＭ３５に格納する。このため、この室内機対応付け支援システムでは、室内機２０ａ，２０ｂ，２０ｃ，２０ｄ，・・・にリモコンが接続されない場合であっても、サービスエンジニア等は、天井裏などによじ登る必要はない。また、この室内機対応付け支援システムでは、サービスエンジニア等は、従来のように、室内機２０ａ，２０ｂ，２０ｃ，２０ｄ，・・・と空調コントローラ３とを行ったり来たりする必要がない。したがって、この室内機対応付け支援システムでは、サービスエンジニア等に大きな負担をかけることなく、簡便に、空調コントローラ３に室内機２０ａ，２０ｂ，２０ｃ，２０ｄ，・・・のアドレスと室内機２０ａ，２０ｂ，２０ｃ，２０ｄ，・・・の設置場所とを対応付けて保存することができる。
【００９９】
また、室内機２０ａ，２０ｂ，２０ｃ，２０ｄ，・・・は第１ＥＥＰＲＯＭ２５にシリアル番号データを保持しているので、空調コントローラ３は、シリアル番号データを利用して室内機２０ａ，２０ｂ，２０ｃ，２０ｄ，・・・の識別を行い、種々の制御や監視などを行うことができる。
（２）
本実施の形態に係る室内機対応付け支援システムでは、サービスエンジニア等は、設置位置データとシリアル番号データとを対応付ける前に、タッチパネル式ディスプレイ８２において室内機アイコン１０２をスタイラスペン９０により選択することによってその設置位置データを選択することが可能である。このため、この室内機対応付け支援システムでは、サービスエンジニア等は、任意の順番で室内機の設置位置を巡ることができる。
【０１００】
（３）
本実施の形態に係る室内機対応付け支援システムでは、タッチパネル式ディスプレイ８２に地図データが表示され、設置位置データが地図情報上の特定の位置に文字データ１０１および室内機アイコン１０２として表示される。このため、この室内機対応付け支援システムでは、サービスエンジニア等が室内機の設置位置を誤認するおそれを低減することができる。
【０１０１】
（４）
本実施の形態に係る室内機対応付け支援システムでは、「ＲＦＩＤタグデータ読み取りアダプタ８３により受信したシリアル番号データが、第３ＥＥＰＲＯＭ７５に格納されているシリアル番号データのいずれかと一致する」場合、タッチパネル式ディスプレイ８２が、第３制御部７１Ａの指示に従って、受信したシリアル番号データに対応する室内機アイコン１０２、および第３ＥＥＰＲＯＭ７５に既に格納されている同一のシリアル番号データに対応する室内機アイコン１０２の両方を点滅表示させる。このため、この室内機対応付け支援システムでは、サービスエンジニア等が対応付け済みの室内機２０ａ，２０ｂ，２０ｃ，２０ｄ，・・・を再度対応付けしようとしたときや、サービスエンジニア等が異なる設置位置データに対して同一のシリアル番号データを対応付けたりしようとしたとき等に、すでに対応付け済みの室内機２０ａ，２０ｂ，２０ｃ，２０ｄ，・・・を容易に特定することができる。したがって、この室内機対応付け支援システムでは、サービスエンジニア等は、容易に対応付けの確認作業を行うことができる。
【０１０２】
（５）
本実施の形態に係る室内機対応付け支援システムでは、「ＲＦＩＤタグデータ読み取りアダプタ８３により受信したシリアル番号データが、第３ＥＥＰＲＯＭ７５に格納されているシリアル番号データのいずれかと一致する」場合、タッチパネル式ディスプレイ８２が第３制御部７１Ａの指示に従ってメッセージボックス１０５に警告メッセージを表示し、さらに、スピーカが第３制御部７１Ａの指示に従って警告音を発する。このため、この室内機対応付け支援システムでは、サービスエンジニア等が対応付け済みの室内機２０ａ，２０ｂ，２０ｃ，２０ｄ，・・・を再度対応付けしたり、サービスエンジニア等が異なる設置位置データに対して同一のシリアル番号データを対応付けたりすることを防止することができる。
【０１０３】
（６）
本実施の形態に係る室内機対応付け支援システムでは、タッチパネル式ディスプレイ８２に表示される完了コマンドボタン１０６がスタイラスペン９０によって選択されると、第３演算部７１Ｂが、第３制御部７１Ａの指示に従って、シリアル番号データと対応付けされていない設置位置データが第３ＥＥＰＲＯＭ７５に存在するか否かについて判定する。そして、シリアル番号データと対応付けされていない設置位置データが第３ＥＥＰＲＯＭ７５に存在する場合、タッチパネル式ディスプレイ８２が、第３制御部７１Ａの指示に従って、シリアル番号データと対応付けされていない設置位置データに対応する室内機アイコン１０２を点滅表示させる。このため、この室内機対応付け支援システムでは、サービスエンジニア等は、対応付けが完了していない室内機２０ａ，２０ｂ，２０ｃ，２０ｄ，・・・を容易に特定することができる。
【０１０４】
（７）
本実施の形態に係る室内機対応付け支援システムでは、タッチパネル式ディスプレイ８２に表示される完了コマンドボタン１０６がスタイラスペン９０によって選択されると、第３演算部７１Ｂが、第３制御部７１Ａの指示に従って、シリアル番号データと対応付けされていない設置位置データが第３ＥＥＰＲＯＭ７５に存在するか否かについて判定する。そして、シリアル番号データと対応付けされていない設置位置データが第３ＥＥＰＲＯＭ７５に存在する場合、タッチパネル式ディスプレイ８２が第３制御部７１Ａの指示に従ってメッセージボックス１０５に警告メッセージを表示し、さらに、スピーカが第３制御部７１Ａの指示に従って警告音を発する。このため、この室内機対応付け支援システムでは、サービスエンジニア等は、対応付け作業が完了したのか否かを客観的に判断することができる。
【０１０５】
（８）
本実施の形態に係る空調コントローラ３では、サービスエンジニア等は、出荷管理サーバ４Ｂから出荷済み室内機２０ａ，２０ｂ，２０ｃ，２０ｄ，・・・のシリアル番号リストデータをダウンロードすることができ、さらにそのダウンロードしてきたシリアル番号リストを、無線ＬＡＮを利用してポケットコンピュータ７に送信することができる。そして、本実施の形態に係る室内機対応付け支援システムでは、「受信したシリアル番号データが、第３ＥＥＰＲＯＭ７５に格納されているシリアル番号リストデータに列記されるシリアル番号データのいずれとも一致しない」場合、タッチパネル式ディスプレイ８２が、第３制御部７１Ａの指示に従って、受信したシリアル番号データに対応する室内機アイコン１０２を点滅表示させる。このため、この室内機対応付け支援システムでは、サービスエンジニア等は、室内機２０ａ，２０ｂ，２０ｃ，２０ｄ，・・・の設置位置データをシリアル番号データと対応付けしながら、室内機２０ａ，２０ｂ，２０ｃ，２０ｄ，・・・が正しく納入されているか否かについても確認することができる。
【０１０６】
（９）
本実施の形態に係る空調コントローラ３では、サービスエンジニア等は、出荷管理サーバ４Ｂから出荷済み室内機２０ａ，２０ｂ，２０ｃ，２０ｄ，・・・のシリアル番号リストデータをダウンロードすることができ、さらにそのダウンロードしてきたシリアル番号リストを、無線ＬＡＮを利用してポケットコンピュータ７に送信することができる。そして、本実施の形態に係る室内機対応付け支援システムでは、「受信したシリアル番号データの上位３桁の識別データが、第３ＥＥＰＲＯＭ７５に格納されているシリアル番号リストデータに列記されるいずれのシリアル番号データの上位３桁の識別データとも一致しない」場合、タッチパネル式ディスプレイ８２が第３制御部７１Ａの指示に従ってメッセージボックス１０５に警告メッセージを表示すると共に警告ダイアログ１０７を表示し、さらにスピーカが第３制御部７１Ａの指示に従って警告音を発する。このため、この室内機対応付け支援システムでは、サービスエンジニア等は、後に発生する確率が高いクレーム処理を未然に防ぐことができる。
【０１０７】
〔変形例〕
（Ａ）
先の実施の形態に係る室内機対応付け支援システムは、マルチ式空調機２ａ，２ｂ，・・・から構成される空調システム１に採用されたが、１台の室外機に対して１台の室内機を備えるセパレート式空調機やその他の空調機が複数台設置されるような空調システムに採用されることも可能である。
【０１０８】
（Ｂ）
先の実施の形態に係る室内機対応付け支援システムでは、サービスエンジニア等は、空調コントローラ３を利用して出荷管理サーバ４Ｂからシリアル番号リストデータをダウンロードしたが、ポケットコンピュータ７に出荷管理サーバとの通信機能を搭載し、サービスエンジニア等が、そのポケットコンピュータ７を用いて出荷管理サーバ４Ｂからシリアル番号リストデータをダウンロードするようにしてもよい。
【０１０９】
（Ｃ）
先の実施の形態に係る室内機対応付け支援システムでは、ＲＦＩＤタグ６ａ，６ｂ，６ｃ，６ｄ，・・・からシリアル番号データを取得するのに、ＲＦＩＤタグデータ読み取りアダプタ８３を装着したポケットコンピュータ７を採用したが、ＲＦＩＤタグの専用リーダを採用してもよい。ちなみに、ＲＦＩＤタグ６ａ，６ｂ，６ｃ，６ｄ，・・・からシリアル番号データを取得する機能を搭載しているものであれば、携帯電話、ノート型コンピュータ、ＰＤＡ（Personal Digital Assistance）等のようなものでも当然に採用可能である。
【０１１０】
（Ｄ）
先の実施の形態に係る室内機対応付け支援システムでは、電波または電磁波応答型のＲＦＩＤタグ６ａ，６ｂ，６ｃ，６ｄ，・・・を採用したが、これに代えて、光応答型のＲＦＩＤタグを採用してもよい。なお、かかる場合、ＲＦＩＤタグデータ読み取りアダプタ８３は、そのＲＦＩＤタグに対応する光を発するＲＦＩＤタグデータ読み取りアダプタに交換される必要がある。
【０１１１】
（Ｅ）
先の実施の形態に係る室内機対応付け支援システムでは、サービスエンジニア等は、ポケットコンピュータ７の第３ＥＥＰＲＯＭ７５に記憶される互いに対応付けられたシリアル番号データと設置位置データとを、無線ＬＡＮを利用して、空調コントローラ３に転送した。しかし、ポケットコンピュータ７および空調コントローラ３に例えばＳＤカード（登録商標）スロットを設け、ＳＤカードによりそれらのデータをポケットコンピュータ７から空調コントローラ３へ転送するようにしてもよい。
【０１１２】
（Ｆ）
先の実施の形態に係る室内機対応付け支援システムでは、サービスエンジニア等は、ポケットコンピュータ７の第３ＥＥＰＲＯＭ７５に記憶される互いに対応付けられたシリアル番号データと設置位置データとを、無線ＬＡＮを利用して、空調コントローラ３に転送した。しかし、ポケットコンピュータ７および空調コントローラ３に例えばイーサネットケーブル接続口を設け、イーサネットケーブルを介してポケットコンピュータ７と空調コントローラ３とを有線接続してそれらのデータをポケットコンピュータ７から空調コントローラ３へ転送するようにしてもよい。
【０１１３】
（Ｇ）
先の実施の形態に係る室内機対応付け支援システムでは、サービスエンジニア等は、ＲＦＩＤタグ６ａ，６ｂ，６ｃ，６ｄ，・・・からシリアル番号データを取得するために、スタイラスペン９０を利用してポケットコンピュータ７のタッチパネル式ディスプレイ８２に表示される設置位置データのうちその設置位置に該当する設置位置データを選択した状態で、ポケットコンピュータ７を、ＲＦＩＤタグ６ａ，６ｂ，６ｃ，６ｄ，・・・と通信可能な範囲まで近づけ、入力キー群８１の特定のキーを押した。しかし、サービスエンジニア等が、ポケットコンピュータ７のタッチパネル式ディスプレイ８２に表示される設置位置データのうちその設置位置に該当する設置位置データをスタイラスペン９０で選択したときに、ＲＦＩＤタグ６ａ，６ｂ，６ｃ，６ｄ，・・・からシリアル番号データが取得されるようにしてもよい。
【０１１４】
（Ｈ）
先の実施の形態に係る室内機対応付け支援システムでは、設置位置データがシリアル番号データと対応付けられて第３ＥＥＰＲＯＭ７５に格納されると、ポケットコンピュータ７のタッチパネル式ディスプレイ８２上で、その設置位置データに対応する室内機アイコン１０２の色が緑色から青色に変化した。しかし、このような表示態様に代えて、設置位置データがシリアル番号データと対応付けられて第３ＥＥＰＲＯＭ７５に格納されたときに、ポケットコンピュータ７のタッチパネル式ディスプレイ８２上で、その設置位置データに対応する室内機アイコンが非表示となるように室内機バインディングプログラムを設計してもよい。
【０１１５】
（Ｉ）
先の実施の形態に係る室内機対応付け支援システムでは、設置位置データがシリアル番号データと対応付けられて第３ＥＥＰＲＯＭ７５に格納されると、ポケットコンピュータ７のタッチパネル式ディスプレイ８２上で、その設置位置データに対応する室内機アイコン１０２の色が緑色から青色に変化した。しかし、このような表示態様に代えて、設置位置データがシリアル番号データと対応付けられて第３ＥＥＰＲＯＭ７５に格納されたときに、ポケットコンピュータ７のタッチパネル式ディスプレイ８２上で、その設置位置データに対応する室内機アイコン１０２が、対応付け済み専用の領域に表示されるように室内機バインディングプログラムを設計してもよい。
【０１１６】
（Ｊ）
先の実施の形態に係る室内機対応付け支援システムでは、設置位置データが文字データ１０１としてタッチパネル式ディスプレイ８２上に表示され、さらに文字データ１０１上には室内機アイコン１０２が併せて表示されていた。そして、さらに、この文字データ１０１と室内機アイコン１０２とが、地図データ１０３上に表示されていた。しかし、このような表示態様に代えて、設置位置データが、文字データとして単純に列記されるように室内機バインディングプログラムを設計してもよい（例えば、図１８参照）。また、このとき、設置位置データがシリアル番号データと対応付けられて第３ＥＥＰＲＯＭ７５に格納されたときに、その設置位置データに対応する文字データ１０１が、対応付け済み専用の領域に表示されるように室内機バインディングプログラムを設計してもよい（例えば、図１９参照）。また、このとき、文字データが階層的に表示されるように室内機バインディングプログラムを設計してもよい。
【０１１７】
（Ｌ）
先の実施の形態に係る室内機対応付け支援システムでは、「ＲＦＩＤタグデータ読み取りアダプタ８３により受信したシリアル番号データが、第３ＥＥＰＲＯＭ７５に格納されているシリアル番号データのいずれかと一致する」場合、タッチパネル式ディスプレイ８２が第３制御部７１Ａの指示に従ってメッセージボックス１０５に警告メッセージを表示し、さらに、スピーカが第３制御部７１Ａの指示に従って警告音を発した。しかし、このような警告態様に代えて、例えば、スピーカから「シリアル番号が重複しています」という音声ガイドが発せられるように室内機バインディングプログラムを設計してもよい。
【０１１８】
（Ｍ）
先の実施の形態に係る室内機対応付け支援システムでは、タッチパネル式ディスプレイ８２に表示される完了コマンドボタン１０６がスタイラスペン９０によって選択されるときに、シリアル番号データと対応付けされていない設置位置データが第３ＥＥＰＲＯＭ７５に存在する場合、タッチパネル式ディスプレイ８２が第３制御部７１Ａの指示に従ってメッセージボックス１０５に警告メッセージを表示し、さらに、スピーカが第３制御部７１Ａの指示に従って警告音を発した。しかし、このような警告態様に代えて、例えば、スピーカから「シリアル番号の取得漏れがあります」という音声ガイドが発せられるように室内機バインディングプログラムを設計してもよい。
【０１１９】
（Ｎ）
先の実施の形態に係る室内機対応付け支援システムでは、「受信したシリアル番号データの上位３桁の識別データが、第３ＥＥＰＲＯＭ７５に格納されているシリアル番号リストデータに列記されるいずれのシリアル番号データの上位３桁の識別データとも一致しない」場合、タッチパネル式ディスプレイ８２が第３制御部７１Ａの指示に従ってメッセージボックス１０５に警告メッセージを表示すると共に警告ダイアログ１０７を表示し、さらにスピーカが第３制御部７１Ａの指示に従って警告音を発した。しかし、このような警告態様に代えて、例えば、スピーカから「仕様違いの機種が設置されています。機種の再設置等、適切な処理を行って下さい」というような音声ガイドが発せられるように室内機バインディングプログラムを設計してもよい。
【０１２０】
（Ｏ）
先の実施の形態に係る室内機対応付け支援システムでは、「受信したシリアル番号データの上位３桁の識別データが、第３ＥＥＰＲＯＭ７５に格納されているシリアル番号リストデータに列記されるいずれのシリアル番号データの上位３桁の識別データとも一致しない」場合、タッチパネル式ディスプレイ８２が第３制御部７１Ａの指示に従って警告ダイアログ１０７をメッセージボックス１０５の上に表示した。しかし、警告ダイアログ１０７の表示位置は特に限定されることなく、いずれの位置であってもかまわない。
【０１２１】
（Ｐ）
先の実施の形態に係る室内機対応付け支援システムでは、互いに対応付けられたシリアル番号データと設置位置データとがポケットコンピュータ７から第２ＥＥＰＲＯＭ３５に転送された後に、各室内機２０ａ，２０ｂ，２０ｃ，２０ｄ，・・・に対して固有の通信専用アドレスが付与された。しかし、互いに対応付けられたシリアル番号データと設置位置データとがポケットコンピュータ７から第２ＥＥＰＲＯＭ３５に転送される前に、各室内機２０ａ，２０ｂ，２０ｃ，２０ｄ，・・・に対して固有の通信専用アドレスが付与されていてもよい（例えば、特許２６９９７３４号明細書参照）。かかる場合、図２０に示されるフローチャートに従って、各室内機２０ａ，２０ｂ，２０ｃ，２０ｄ，・・・に固有の通信専用アドレスと設置位置データとが対応付けられる。
【０１２２】
図２０においてステップＳ４１では、第２ＲＡＭ３２が、第２制御部３１Ａの指示に従って、第２ＥＥＰＲＯＭ３５から通信専用アドレスを読み込む。
ステップＳ４２では、第２制御部３１Ａが、第２ＲＡＭ３２に記憶されている通信専用アドレスに対応する室内機２０ａ，２０ｂ，２０ｃ，２０ｄ，・・・に対してシリアル番号データの送信を要求する。
【０１２３】
ステップＳ４３では、通信専用アドレスに対応する室内機２０ａ，２０ｂ，２０ｃ，２０ｄ，・・・の第１通信回路２６が、第１制御部の指示に従って、第１ＥＥＰＲＯＭ２５に保存されているシリアル番号データを、空調コントローラ３に送信する。
ステップＳ４４では、第２Ｉ／Ｏ制御部３３が、第２制御部３１Ａに従って、第１通信回路２６から送信されてくるシリアル番号データを受信し、第２ＲＡＭ３２に一時記憶する。
【０１２４】
ステップＳ４５では、第２演算部３１Ｂが、第２制御部３１Ａの指示に従って、第２ＲＡＭ３２から、シリアル番号データとステップＳ４１において記憶された通信専用アドレスとを取得する。
ステップＳ４６では、第２演算部３１Ｂが、第２制御部３１Ａの指示に従って、第２ＥＥＰＲＯＭ３５に保存されている「互いに対応付けられたシリアル番号データと設置位置データと」を参照して、ステップＳ４５において取得されたシリアル番号データに対応する設置位置データを導出する。
【０１２５】
ステップＳ４７では、第２演算部３１Ｂが、第２制御部３１Ａの指示に従って、ステップＳ４６において導出された設置位置データを、ステップＳ４１において第２ＲＡＭ３２に記憶された通信専用アドレスに対応付けて第２ＥＥＰＲＯＭ３５に保存する。
なお、本変形例では、上記の処理が全ての通信専用アドレスについて完了するまで繰り返される。
【０１２６】
（Ｑ）
先の実施の形態に係る室内機対応付け支援システムでは、互いに対応付けられたシリアル番号データと設置位置データとがポケットコンピュータ７から第２ＥＥＰＲＯＭ３５に転送された後に、各室内機２０ａ，２０ｂ，２０ｃ，２０ｄ，・・・に対して固有の通信専用アドレスが付与された。しかし、通信専用アドレスを付与せずにシリアル番号のみで各室内機２０ａ，２０ｂ，２０ｃ，２０ｄ，・・・と通信するようにしてもかまわない。
【０１２７】
（Ｒ）
先の実施の形態に係る室内機対応付け支援システムでは、出荷記録整合チェック・ガイダンスルーチンにおいて、「受信したシリアル番号データが、第３ＥＥＰＲＯＭ７５に格納されているシリアル番号リストデータに列記されるシリアル番号データのいずれとも一致しない」場合、タッチパネル式ディスプレイ８２が、第３制御部７１Ａの指示に従って、受信したシリアル番号データに対応する室内機アイコン１０２を点滅表示させ、「受信したシリアル番号データの上位３桁の識別データが、第３ＥＥＰＲＯＭ７５に格納されているシリアル番号リストデータに列記されるいずれのシリアル番号データの上位３桁の識別データとも一致しない」場合、タッチパネル式ディスプレイ８２が第３制御部７１Ａの指示に従ってメッセージボックス１０５に警告メッセージを表示するとともに警告ダイアログ１０７を表示し、さらにスピーカが第３制御部７１Ａの指示に従って警告音を発した。しかし、ポケットコンピュータ７に出荷管理サーバ４Ｂとの通信機能を付与して、「受信したシリアル番号データが、第３ＥＥＰＲＯＭ７５に格納されているシリアル番号リストデータに列記されるシリアル番号データのいずれかとも一致しない」場合、その旨を表すデータを出荷管理サーバ４Ｂに送信するようにしてもよい。また、「受信したシリアル番号データの上位３桁の識別データが、第３ＥＥＰＲＯＭ７５に格納されているシリアル番号リストデータに列記されるいずれのシリアル番号データの上位３桁の識別データとも一致しない場合」にも、その旨を表すデータを出荷管理サーバ４Ｂに送信するようにしてもよい。さらに、「受信したシリアル番号データの上位３桁の識別データが、第３ＥＥＰＲＯＭ７５に格納されているシリアル番号リストデータに列記されるいずれのシリアル番号データの上位３桁の識別データとも一致しない場合」、受信したシリアル番号データの上位３桁の識別データを出荷管理サーバ４Ｂに送信するようにしてもよい。なお、サービスエンジニア等が、ＲＦＩＤタグ６ａ，６ｂ，６ｃ，６ｄ，・・・から受信したシリアル番号データを記憶メディアに保存して出荷管理サーバ４Ｂのオペレータ等に手渡すようにしてもよい。このようにすれば、出荷管理サーバ４Ｂのオペレータは、出荷管理サーバ４Ｂのシリアル番号データを適宜修正したり、仕様の異なる室内機を仕様通りの室内機に置き換える工事の指示を施工業者などに指示したりすることができる。
【０１２８】
（Ｓ）
先の実施の形態に係る室内機対応付け支援システムでは、出荷記録整合チェック・ガイダンスルーチンにおいて、「受信したシリアル番号データの上位３桁の識別データが、第３ＥＥＰＲＯＭ７５に格納されているシリアル番号リストデータに列記されるいずれのシリアル番号データの上位３桁の識別データとも一致しない」場合、タッチパネル式ディスプレイ８２が第３制御部７１Ａの指示に従ってメッセージボックス１０５に警告メッセージを表示するとともに警告ダイアログ１０７を表示し、さらにスピーカが第３制御部７１Ａの指示に従って警告音を発した。しかし、ポケットコンピュータ７に出荷管理サーバ４Ｂとの通信機能を付与させれば、この処理を出荷管理サーバ４Ｂに行わせることができる。つまり、「受信したシリアル番号データが、第３ＥＥＰＲＯＭ７５に格納されているシリアル番号リストデータに列記されるシリアル番号データのいずれとも一致しない」場合、ポケットコンピュータ７が、受信したシリアル番号データを出荷管理サーバ４Ｂに送信し、出荷管理サーバにおいて「そのシリアル番号データの上位３桁の識別データが、出荷管理サーバ４Ｂのハードディスク（図示せず）に格納されているシリアル番号リストデータに列記されるいずれかのシリアル番号データの上位３桁の識別データと一致するかが判定される。そして、「シリアル番号データの上位３桁の識別データが、出荷管理サーバ４Ｂのハードディスクに格納されているシリアル番号リストデータに列記されるいずれのシリアル番号データの上位３桁の識別データとも一致しない場合に、出荷管理サーバ４Ｂが、その旨を表すデータをポケットコンピュータ７に送信する。
【０１２９】
（Ｔ）
先の実施の形態に係る室内機対応付け支援システムでは、設置位置データが文字データ１０１としてタッチパネル式ディスプレイ８２上に表示され、さらに文字データ１０１上には室内機アイコン１０２が併せて表示されていた。しかし、文字データ１０１上に室内機アイコン１０２ではなく室内機の絵が描かれたコマンドボタンを配置してもよい。
【０１３０】
（Ｕ）
先の実施の形態に係る室内機対応付け支援システムでは、種々のチェック・ガイダンスルーチンがポケットコンピュータ７上で実行されたが、互いに対応付けられたシリアル番号データと設置位置データとがポケットコンピュータ７から空調コントローラ３に転送されるときに、空調コントローラ３側で種々のチェック・ガイダンスルーチンが実行されるようにしてもかまわない。
【０１３１】
（Ｖ）
先の実施の形態に係る室内機対応付け支援システムでは、空調コントローラ３において出荷管理サーバ４Ｂからシリアル番号リストデータをダウンロードできるようになっていたが、出荷管理サーバ４Ｂに保存されるシリアル番号リストデータは、他の手段、例えば、記憶メディア等を介して空調コントローラ３やポケットコンピュータ７にコピーされるようにしてもよい。
【０１３２】
（Ｗ）
先の実施の形態に係る室内機対応付け支援システムでは、「ＲＦＩＤタグデータ読み取りアダプタ８３により受信したシリアル番号データが、第３ＥＥＰＲＯＭ７５に格納されているシリアル番号データのいずれかと一致する」場合、タッチパネル式ディスプレイ８２が第３制御部７１Ａの指示に従ってメッセージボックス１０５に警告メッセージを表示した。しかし、警告メッセージとともにそのシリアル番号データを表示してもよい。また、このシリアル番号がスピーカを介して発せられるようにしてもよい。
【０１３３】
（Ｘ）
先の実施の形態に係る室内機対応付け支援システムでは、タッチパネル式ディスプレイ８２に表示される完了コマンドボタン１０６がスタイラスペン９０によって選択されるときに、シリアル番号データと対応付けされていない設置位置データが第３ＥＥＰＲＯＭ７５に存在する場合、タッチパネル式ディスプレイ８２が第３制御部７１Ａの指示に従ってメッセージボックス１０５に警告メッセージを表示した。しかし、警告メッセージとともに、設置位置データと対応付けされていないシリアル番号データを表示してもよい。また、このシリアル番号がスピーカを介して発せられるようにしてもよい。
【０１３４】
（Ｙ）
先の実施の形態に係る室内機対応付け支援システムでは、「受信したシリアル番号データの上位３桁の識別データが、第３ＥＥＰＲＯＭ７５に格納されているシリアル番号リストデータに列記されるいずれのシリアル番号データの上位３桁の識別データとも一致しない」場合、タッチパネル式ディスプレイ８２が、第３制御部７１Ａの指示に従って、メッセージボックス１０５に警告メッセージを表示した。しかし、警告メッセージとともにその受信したシリアル番号データを表示してもよい。また、このシリアル番号がスピーカを介して発せられるようにしてもよい。
【０１３５】
（Ｚ）
先の実施の形態に係る室内機対応付け支援システムでは、いわゆるパッシブ型のＲＦＩＤタグ６ａ，６ｂ，６ｃ，６ｄ，・・・が利用されたが、アクティブ型のＲＦＩＤタグが利用されてもよい。
（α）
先の実施の形態では、特に言及していなかったが、この室内機対応付け支援システムに、ポケットコンピュータ７の位置検出機能を搭載してもよい。この機能を実現するためには、例えば、ポケットコンピュータ７にＧＰＳアンテナ等を設けておくことが考えられる。また、ポケットコンピュータ７にＲＦＩＤタグ等の無線発信器を付しておき、建物内に配置した３台以上のＲＦＩＤタグリーダ等の受信器を用いて三角法によりポケットコンピュータの位置を検出するようにしてもよい。なお、検出されるポケットコンピュータ７の位置情報は、ポケットコンピュータ７のタッチパネル式ディスプレイ８２に地図情報とともに表示される。このようにすれば、サービスエンジニア等は、対応付けしたい室内機２０ａ，２０ｂ，２０ｃ，２０ｄ，・・・を確実に特定することができる。
【０１３６】
（β）
先の実施の形態では、シリアル番号データと設置位置データとの対応付けの対象機器が室内機２０ａ，２０ｂ，２０ｃ，２０ｄ，・・・であったが、対象機器は、特に限定されず、他の設備機器、例えば、照明機器や給湯機器などであってもよい。
（γ）
先の実施の形態では、サービスエンジニア等が、建物の設計図面などを参照して室内機２０ａ，２０ｂ，２０ｃ，２０ｄ，・・・の設置位置を確認しながら、ディスクトップ型パーソナルコンピュータやノート型パーソナルコンピュータ等に、室内機２０ａ，２０ｂ，２０ｃ，２０ｄ，・・・の設置位置データを入力し、その後、完成した設置位置データを、無線ＬＡＮを利用してポケットコンピュータ７にダウンロードしていた。しかし、サービスエンジニア等は、室内機２０ａ，２０ｂ，２０ｃ，２０ｄ，・・・の設置位置データを直接、ポケットコンピュータ７に入力してもかまわない。
【０１３７】
（δ）
先の実施の形態では、サービスエンジニア等は、全ての室内機２０ａ，２０ｂ，２０ｃ，２０ｄ，・・・について上記の対応付け作業が完了すると、空調コントローラ３に戻り、無線ＬＡＮを利用してポケットコンピュータ７から、互いに対応付けられたシリアル番号データと設置位置データとを空調コントローラ３に転送した。しかし、空調コントローラ３が未だに納入されていない状況等においては、サービスエンジニア等は、互いに対応付けられたシリアル番号データと設置位置データとを遠隔監視サーバ４Ａに送信して遠隔監視サーバ４Ａに一時保存させておいてもよい。このようにすれば、空調コントローラ３が納入され設置されたときに、サービスエンジニア等は、遠隔監視サーバ４Ａからその互いに対応付けられたシリアル番号データと設置位置データとを空調コントローラ３にダウンロードすることができる。
【０１３８】
（ε）
先の実施の形態では、ポケットコンピュータ７に室内機バインディングプログラムがインストールされていたが、この室内機バインディングプログラムがポケットコンピュータ７ではなく空調コントローラ３や遠隔監視サーバ４Ａなどの他の情報処理装置にインストールされていてもよい。かかる場合、他の情報処理装置にＷｅｂサーバ機能などを付与し、ポケットコンピュータ７にＷｅｂブラウザ機能（具体的には、Ｗｅｂサーバにアクセスする機能、Ｗｅｂサーバから送信される情報を表示する機能、Ｗｅｂサーバからの要求に応じて、室内機２０ａ，２０ｂ，２０ｃ，２０ｄ，・・・のシリアル番号データを読み取りサーバに返信する機能など）などを付与する必要がある。なお、サービスエンジニア等がＷｅｂサーバにアクセスするときに管理者権限でしかログインできないようにしておくのがセキュリティ上、好ましい。
【産業上の利用可能性】
【０１３９】
本発明に係る設備機器対応付け支援システムは、複数の設備機器が集中管理機器に接続されている空調システムにおいて、設備機器の設置位置情報と自己識別情報との対応付けを行うのに有用である。
【図面の簡単な説明】
【０１４０】
【図１】本発明の前提となる空調システムの構成を表すブロック図である。
【図２】本発明の前提となる室内機の一部を表す図である。
【図３】本発明の前提となる空調コントローラの内部構造を表すブロック図である。
【図４】本発明の前提となる空調コントローラにおける制御信号およびデータの流れを表す図である。
【図５】本発明の実施の形態において採用されるＲＦＩＤタグの内部構造を表すブロック図である。
【図６】本発明の実施の形態において採用されるポケットコンピュータの外観図である。
【図７】本発明の実施の形態において採用されるポケットコンピュータの内部構造を表すブロック図である。
【図８】本発明の実施の形態において採用されるポケットコンピュータにおける制御信号およびデータの流れを表す図である。
【図９】本発明の実施の形態に係るタッチパネル式ディスプレイの表示態様を表す図である。
【図１０】本発明の実施の形態に係る重複取得チェック・ガイダンスルーチンの流れを表すフローチャートである。
【図１１】本発明の実施の形態に係る重複取得チェック・ガイダンスルーチンにおいて、シリアル番号が重複した場合のタッチパネル式ディスプレイの表示態様を表す図である。
【図１２】本発明の実施の形態に係る取得漏れチェック・ガイダンスルーチンの流れを表すフローチャートである。
【図１３】本発明の実施の形態に係る取得漏れチェック・ガイダンスルーチンにおいて、シリアル番号の取得漏れがあった場合のタッチパネル式ディスプレイの表示態様を表す図である。
【図１４】本発明の実施の形態に係る出荷記録整合チェック・ガイダンスルーチンの流れを表すフローチャートである。
【図１５】本発明の実施の形態に係る出荷記録整合チェック・ガイダンスルーチンにおいて、シリアル番号データリスト中に、受信したシリアル番号データがなかった場合のタッチパネル式ディスプレイの表示態様を表す図である。
【図１６】本発明の実施の形態に係る出荷記録整合チェック・ガイダンスルーチンにおいて、シリアル番号データリスト中のシリアル番号データの上位３桁の識別データと、受信したシリアル番号データの上位３桁の識別データとが一致しなかった場合のタッチパネル式ディスプレイの表示態様を表す図である。
【図１７】本発明の実施の形態に係る空調コントローラによる通信専用アドレスの付与の流れを表すフローチャートである。
【図１８】変形例（Ｊ）に係る他の表示形態を表す図である。
【図１９】変形例（Ｊ）に係る他の表示形態を表す図である。
【図２０】変形例（Ｐ）に係る空調コントローラによる通信専用アドレスの付与の流れを表すフローチャートである。
【符号の説明】
【０１４１】
３      空調コントローラ（集中管理機器）
６ａ，６ｂ，６ｃ，６ｄ，・・・      ＲＦＩＤタグ（無線情報保持体）
７      ポケットコンピュータ（無線情報端末）
２０ａ，２０ｂ，２０ｃ，２０ｄ，・・・      室内機（空調機）
２５      第１ＥＥＰＲＯＭ（第１記憶部）
６２      第２通信回路（無線情報発信部）
６３      不揮発性メモリ（第２記憶部）
７１Ｂ      第３演算部（情報対応付け保存部）
７５      第３ＥＥＰＲＯＭ（第３記憶部，第４記憶部）
８２      タッチパネル式ディスプレイ（情報表示部）
８３ａ      アンテナ（電波等発信部，無線情報受信部）
１０６      完了コマンドボタン（コマンドボタン）
【図１】
2007003126.tif 000003
【図２】
2007003126.tif 000004
【図３】
2007003126.tif 000005
【図４】
2007003126.tif 000006
【図５】
2007003126.tif 000007
【図６】
2007003126.tif 000008
【図７】
2007003126.tif 000009
【図８】
2007003126.tif 000010
【図９】
2007003126.tif 000011
【図１０】
2007003126.tif 000012
【図１１】
2007003126.tif 000013
【図１２】
2007003126.tif 000014
【図１３】
2007003126.tif 000015
【図１４】
2007003126.tif 000016
【図１５】
2007003126.tif 000017
【図１６】
2007003126.tif 000018
【図１７】
2007003126.tif 000019
【図１８】
2007003126.tif 000020
【図１９】
2007003126.tif 000021
【図２０】
2007003126.tif 000022